(57)【特許請求の範囲】
【請求項１】
動画を再生し、前記動画の再生の進行に応じてスライダが線状物上を移動し、当該線状物上での当該スライダの位置が前記動画の再生箇所を示すシークバーを表示する表示部を備え、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、当該再生箇所の画像が撮影される際の当該画像の撮影場所の標高及び気圧のいずれか一つである、電子機器。
【請求項２】
動画を再生し、前記動画の再生の進行に応じてスライダが線状物上を移動し、当該線状物上での当該スライダの位置が前記動画の再生箇所を示すシークバーを表示する表示部を備え、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、前記動画を撮影する撮影装置が当該再生箇所の画像を撮影する際の当該撮影装置の速さ、当該撮影装置が当該再生箇所の画像を撮影する際の当該撮影装置の温度及び当該撮影装置が前記動画の撮影を開始してから当該再生箇所の画像を撮影するまでに移動した距離のいずれか一つである、電子機器。
【請求項３】
請求項１及び請求項２のいずれか一つに記載の電子機器であって、
前記表示部の表示を制御する制御部と、
前記表示部に表示される前記線状物に対する、前記第２の軸に沿ったユーザの操作を検出する操作検出部と
を備え、
前記制御部は、前記操作に応じて、前記線状物の前記第２の軸に沿った高さを変更する、電子機器。
【請求項４】
動画を再生し、前記動画の再生の進行に応じてスライダが線状物上を移動し、当該線状物上での当該スライダの位置が前記動画の再生箇所を示すシークバーを表示する表示部を備え、
前記線状物は、前記再生箇所に応じた情報に応じて曲線状となっており、
前記スライダの前記位置は、前記再生箇所と、当該再生箇所に応じた前記情報とを示し、
前記線状物は、前記動画を撮影する撮影装置が当該動画を撮影している間に移動する経路に応じた曲線状を成し、
前記再生箇所に応じた前記情報は、前記撮影装置が当該再生箇所の画像を撮影する際の当該撮影装置の前記経路上の位置を示し、
前記表示部は、表示モードとして、
前記線状物が地図上での前記経路と一致するように、当該地図上に前記シークバーを表示する第１表示モードと、
前記地図を表示せずに前記シークバーを表示するとともに、前記動画を前記第１表示モードよりも大きく表示する第２表示モードと
を有する、電子機器。
【請求項５】
請求項４に記載の電子機器であって、
前記スライダは、当該スライダの前記位置が示す前記再生箇所の画像を前記撮影装置のカメラが撮影する際の当該カメラのレンズが向いている方角を示す、電子機器。
【請求項６】
動画を再生し、前記動画の再生の進行に応じてスライダが線状物上を移動し、当該線状物上での当該スライダの位置が前記動画の再生箇所を示すシークバーを表示する表示部を備え、
前記線状物は、前記再生箇所に応じた第１情報に応じて曲線状となっており、
前記スライダの前記位置は、前記再生箇所と、当該再生箇所に応じた前記第１情報とを示し、
前記線状物は、前記再生箇所に応じた第２情報に応じて複数種類の線で示され、
前記再生箇所に応じた前記第２情報は、当該再生箇所が再生済みか否かを示す情報以外であって、
前記再生箇所に応じた前記第２情報は、前記線状物における、前記位置が当該再生箇所を示す前記スライダが位置する部分の線の種類によって示される、電子機器。
【請求項７】
請求項６に記載の電子機器であって、
前記複数種類の線では、線の色が異なる、電子機器。
【請求項８】
請求項６に記載の電子機器であって、
前記複数種類の線では、線の太さが異なる、電子機器。
【請求項９】
請求項６に記載の電子機器であって、
前記複数種類の線は、不連続な線を含む、電子機器。
【請求項１０】
請求項６乃至請求項９のいずれか一つに記載の電子機器であって、
前記再生箇所に応じた前記第２情報は、当該再生箇所に関するある値が所定範囲内にあるという情報である、電子機器。
【請求項１１】
請求項１０に記載の電子機器であって、
前記再生箇所に関する前記ある値は、当該再生箇所の画像が撮影された場所についての当該画像の撮影時の標高及び気圧のいずれか一つ、あるいは前記動画を撮影する撮影装置が当該画像を撮影する際の当該撮影装置の速さ及び温度のいずれか一つである、電子機器。
【請求項１２】
請求項６乃至請求項９のいずれか一つに記載の電子機器であって、
前記再生箇所に応じた前記第２情報は、当該再生箇所の画像の撮影時にイベントが発生しているという情報である、電子機器。
【請求項１３】
請求項１乃至請求項５のいずれか一つに記載の電子機器であって、
前記動画の撮影中に前記情報を取得する取得部をさらに備える、電子機器。
【請求項１４】
請求項６乃至請求項１２のいずれか一つに記載の電子機器であって、
前記動画の撮影中に前記第１及び第２情報を取得する取得部をさらに備える、電子機器。
【請求項１５】
請求項１乃至請求項１４のいずれか一つに記載の電子機器であって、
前記動画を撮影するカメラをさらに備える、電子機器。
【請求項１６】
動画を再生する電子機器が備える、当該電子機器を制御する制御装置であって、
前記電子機器に、前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、当該再生箇所の画像が撮影される際の当該画像の撮影場所の標高及び気圧のいずれか一つである、制御装置。
【請求項１７】
動画を再生する電子機器を制御するための制御プログラムであって、
前記電子機器に、
前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、当該再生箇所の画像が撮影される際の当該画像の撮影場所の標高及び気圧のいずれか一つである、制御プログラム。
【請求項１８】
電子機器での表示方法であって、
動画を再生し、前記動画の再生の進行に応じてスライダが線状物上を移動し、当該線状物上での当該スライダの位置が前記動画の再生箇所を示すシークバーを表示する工程を備え、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、当該再生箇所の画像が撮影される際の当該画像の撮影場所の標高及び気圧のいずれか一つである、表示方法。
【請求項１９】
動画を再生する電子機器が備える、当該電子機器を制御する制御装置であって、
前記電子機器に、前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、前記動画を撮影する撮影装置が当該再生箇所の画像を撮影する際の当該撮影装置の速さ、当該撮影装置が当該再生箇所の画像を撮影する際の当該撮影装置の温度及び当該撮影装置が前記動画の撮影を開始してから当該再生箇所の画像を撮影するまでに移動した距離のいずれか一つである、制御装置。
【請求項２０】
動画を再生する電子機器を制御するための制御プログラムであって、
前記電子機器に、
前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、前記動画を撮影する撮影装置が当該再生箇所の画像を撮影する際の当該撮影装置の速さ、当該撮影装置が当該再生箇所の画像を撮影する際の当該撮影装置の温度及び当該撮影装置が前記動画の撮影を開始してから当該再生箇所の画像を撮影するまでに移動した距離のいずれか一つである、制御プログラム。
【請求項２１】
電子機器での表示方法であって、
動画を再生し、前記動画の再生の進行に応じてスライダが線状物上を移動し、当該線状物上での当該スライダの位置が前記動画の再生箇所を示すシークバーを表示する工程を備え、
前記線状物は、前記再生箇所に応じた情報に応じて曲線状となっており、
前記スライダの前記位置は、前記再生箇所と、当該再生箇所に応じた前記情報とを示し、
前記線状物は、第１の軸が前記動画の再生経過時間を示し、当該第１の軸に垂直な第２の軸が前記情報を示す二次元上のグラフで表され、
前記再生箇所に応じた前記情報は、前記動画を撮影する撮影装置が当該再生箇所の画像を撮影する際の当該撮影装置の速さ、当該撮影装置が当該再生箇所の画像を撮影する際の当該撮影装置の温度及び当該撮影装置が前記動画の撮影を開始してから当該再生箇所の画像を撮影するまでに移動した距離のいずれか一つである、表示方法。
【請求項２２】
動画を再生する電子機器が備える、当該電子機器を制御する制御装置であって、
前記電子機器に、前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、前記動画を撮影する撮影装置が当該動画を撮影している間に移動する経路に応じた曲線状を成し、
前記再生箇所に応じた前記情報は、前記撮影装置が当該再生箇所の画像を撮影する際の当該撮影装置の前記経路上の位置を示し、
前記電子機器が、表示モードとして、
前記線状物が地図上での前記経路と一致するように、当該地図上に前記シークバーを表示する第１表示モードと、
前記地図を表示せずに前記シークバーを表示するとともに、前記動画を前記第１表示モードよりも大きく表示する第２表示モードと
を備えるように前記電子機器を制御する、制御装置。
【請求項２３】
動画を再生する電子機器を制御するための制御プログラムであって、
前記電子機器に、
前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた情報に応じて曲線状となっており、
前記スライダの前記位置は、前記再生箇所と、当該再生箇所に応じた前記情報とを示し、
前記線状物は、前記動画を撮影する撮影装置が当該動画を撮影している間に移動する経路に応じた曲線状を成し、
前記再生箇所に応じた前記情報は、前記撮影装置が当該再生箇所の画像を撮影する際の当該撮影装置の前記経路上の位置を示し、
前記電子機器が、表示モードとして、
前記線状物が地図上での前記経路と一致するように、当該地図上に前記シークバーを表示する第１表示モードと、
前記地図を表示せずに前記シークバーを表示するとともに、前記動画を前記第１表示モードよりも大きく表示する第２表示モードと
を備えるように前記電子機器を制御する、制御プログラム。
【請求項２４】
電子機器での表示方法であって、
動画を再生し、前記動画の再生の進行に応じてスライダが線状物上を移動し、当該線状物上での当該スライダの位置が前記動画の再生箇所を示すシークバーを表示する第１工程を備え、
前記線状物は、前記再生箇所に応じた情報に応じて曲線状となっており、
前記スライダの前記位置は、前記再生箇所と、当該再生箇所に応じた前記情報とを示し、
前記線状物は、前記動画を撮影する撮影装置が当該動画を撮影している間に移動する経路に応じた曲線状を成し、
前記再生箇所に応じた前記情報は、前記撮影装置が当該再生箇所の画像を撮影する際の当該撮影装置の前記経路上の位置を示し、
前記第１工程は、
前記線状物が地図上での前記経路と一致するように、当該地図上に前記シークバーを表示する第２工程と、
前記地図を表示せずに前記シークバーを表示するとともに、前記動画を前記第２工程よりも大きく表示する第３工程と
を有する、表示方法。
【請求項２５】
動画を再生する電子機器が備える、当該電子機器を制御する制御装置であって、
前記電子機器に、前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた第１情報に応じて曲線状となっており、
前記スライダの前記位置は、前記再生箇所と、当該再生箇所に応じた前記第１情報とを示し、
前記線状物は、前記再生箇所に応じた第２情報に応じて複数種類の線で示され、
前記再生箇所に応じた前記第２情報は、当該再生箇所が再生済みか否かを示す情報以外であって、
前記再生箇所に応じた前記第２情報は、前記線状物における、前記位置が当該再生箇所を示す前記スライダが位置する部分の線の種類によって示される、制御装置。
【請求項２６】
動画を再生する電子機器を制御するための制御プログラムであって、
前記電子機器に、
前記動画を再生させ、前記動画の再生の進行に応じてスライダが線状物上を移動し、当該線状物上での当該スライダの位置が前記動画の再生箇所を示すシークバーを表示させ、
前記線状物は、前記再生箇所に応じた第１情報に応じて曲線状となっており、
前記スライダの前記位置は、前記再生箇所と、当該再生箇所に応じた前記第１情報とを示し、
前記線状物は、前記再生箇所に応じた第２情報に応じて複数種類の線で示され、
前記再生箇所に応じた前記第２情報は、当該再生箇所が再生済みか否かを示す情報以外であって、
前記再生箇所に応じた前記第２情報は、前記線状物における、前記位置が当該再生箇所を示す前記スライダが位置する部分の線の種類によって示される、制御プログラム。
【請求項２７】
電子機器での表示方法であって、
動画を再生し、前記動画の再生の進行に応じてスライダが線状物上を移動し、当該線状物上での当該スライダの位置が前記動画の再生箇所を示すシークバーを表示する工程を備え、
前記線状物は、前記再生箇所に応じた第１情報に応じて曲線状となっており、
前記スライダの前記位置は、前記再生箇所と、当該再生箇所に応じた前記第１情報とを示し、
前記線状物は、前記再生箇所に応じた第２情報に応じて複数種類の線で示され、
前記再生箇所に応じた前記第２情報は、当該再生箇所が再生済みか否かを示す情報以外であって、
前記再生箇所に応じた前記第２情報は、前記線状物における、前記位置が当該再生箇所を示す前記スライダが位置する部分の線の種類によって示される、表示方法。
【発明の詳細な説明】
【技術分野】
【０００１】
本開示は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２００８−９８７２６号公報
【発明の概要】
【発明が解決しようとする課題】
【０００４】
電子機器が再生する動画においてユーザが所望の箇所を容易に見つけることができることは望ましい。
【０００５】
そこで、本発明は上述の点に鑑みて成されたものであり、動画においてユーザが所望の箇所を容易に見つけることが可能な技術を提供することを目的とする。
【課題を解決するための手段】
【０００６】
電子機器、制御装置、制御プログラム及び表示方法が開示される。一の実施の形態では、電子機器は表示部を備える。表示部は動画を再生する。表示部は、動画の再生の進行に応じてスライダが線状物上を移動し、当該線状物上での当該スライダの位置が動画の再生箇所を示すシークバーを表示する。線状物は、再生箇所に応じた第１情報に応じて曲線状となっている。スライダの位置は、再生箇所と、当該再生箇所に応じた第１情報とを示す。
【０００７】
また、一の実施の形態では、制御装置は、動画を再生する電子機器が備える、当該電子機器を制御する制御装置である。制御装置は、電子機器に動画を再生させる。制御装置は、電子機器に、動画の再生の進行に応じてスライダが線状物上を移動し、当該線状物上での当該スライダの位置が動画の再生箇所を示すシークバーを表示させる。線状物は、再生箇所に応じた情報に応じて曲線状となっている。スライダの位置は、再生箇所と、当該再生箇所に応じた情報とを示す。
【０００８】
また、一の実施の形態では、制御プログラムは、動画を再生する電子機器を制御するための制御プログラムである。制御プログラムは、電子機器に動画を再生させる。制御プログラムは、電子機器に、動画の再生の進行に応じてスライダが線状物上を移動し、当該線状物上での当該スライダの位置が動画の再生箇所を示すシークバーを表示させる。線状物は、再生箇所に応じた情報に応じて曲線状となっている。スライダの位置は、再生箇所と、当該再生箇所に応じた情報とを示す。
【０００９】
また、一の実施の形態では、表示方法は、電子機器での表示方法である。表示方法は、動画を再生し、動画の再生の進行に応じてスライダが線状物上を移動し、当該線状物上での当該スライダの位置が動画の再生箇所を示すシークバーを表示する工程を備える。線状物は、再生箇所に応じた情報に応じて曲線状となっている。スライダの位置は、再生箇所と、当該再生箇所に応じた情報とを示す。
【発明の効果】
【００１０】
ユーザが動画において所望の箇所を容易に見つけることができる。
【図面の簡単な説明】
【００１１】
【図１】電子機器の外観の一例を示す斜視図である。
【図２】電子機器の外観の一例を示す背面図である。
【図３】電子機器の構成の一例を示す図である。
【図４】電子機器の構成の一例を示す図である。
【図５】電子機器の使用態様の一例を示す図である。
【図６】電子機器の動作の一例を示すフローチャートである。
【図７】画面の一例を示す図である。
【図８】電子機器の動作の一例を示すフローチャートである。
【図９】画面の一例を示す図である。
【図１０】画面の一例を示す図である。
【図１１】シークバーを説明するための図である。
【図１２】電子機器が記憶する情報の一例を示す図である。
【図１３】画面の一例を示す図である。
【図１４】画面の一例を示す図である。
【図１５】画面の一例を示す図である。
【図１６】画面の一例を示す図である。
【図１７】画面の一例を示す図である。
【図１８】画面の一例を示す図である。
【図１９】画面の一例を示す図である。
【図２０】画面の一例を示す図である。
【図２１】画面の一例を示す図である。
【図２２】画面の一例を示す図である。
【図２３】画面の一例を示す図である。
【図２４】画面の一例を示す図である。
【図２５】画面の一例を示す図である。
【図２６】画面の一例を示す図である。
【図２７】画面の一例を示す図である。
【図２８】画面の一例を示す図である。
【図２９】画面の一例を示す図である。
【図３０】画面の一例を示す図である。
【図３１】画面の一例を示す図である。
【図３２】画面の一例を示す図である。
【図３３】画面の一例を示す図である。
【図３４】画面の一例を示す図である。
【図３５】画面の一例を示す図である。
【図３６】画面の一例を示す図である。
【図３７】画面の一例を示す図である。
【図３８】画面の一例を示す図である。
【発明を実施するための形態】
【００１２】
＜電子機器の外観＞
図１及び２はそれぞれ電子機器１の外観の一例を示す斜視図及び背面図である。電子機器１は、例えば、スマートフォン等の携帯電話機である。
【００１３】
図１及び２に示されるように、電子機器１は、平面視で略長方形の板状の機器ケース１０を備えている。機器ケース１０は電子機器１の外装を構成している。電子機器１の前面１ａ、つまり機器ケース１０の前面には、文字、記号、図形等の各種情報が表示される表示領域１１が設けられている。表示領域１１の背面側には後述するタッチパネル１４０が設けられている。これにより、ユーザは、表示領域１１を指等で操作することによって、電子機器１に対して各種情報を入力することができる。なお、ユーザは、指以外の操作子、例えば、スタイラスペンなどのタッチパネル用ペンで表示領域１１を操作することによっても、電子機器１に対して各種情報を入力することができる。
【００１４】
電子機器１の前面１ａ（機器ケース２の前面）の上側端部にはレシーバ穴１２が設けられている。電子機器１の前面１ａの下側端部にはスピーカ穴１３が設けられている。電子機器１の下側の側面１ｃにはマイク穴１４が設けられている。
【００１５】
電子機器１の前面１ａの上側端部からは、後述する第１カメラ１９０が有するレンズ１９１が視認可能となっている。図２に示されるように、電子機器１の背面１ｂの上側端部からは、後述する第２カメラ２００が有するレンズ２０１が視認可能となっている。
【００１６】
電子機器１の前面１ａの下側端部には、複数の操作ボタン１５，１６，１７から成る操作ボタン群１８が設けられている。操作ボタン１５，１６，１７のそれぞれはハードウェアボタンである。具体的には、操作ボタン１５，１６，１７のそれぞれは押しボタンである。なお、操作ボタン１５，１６，１７は、表示領域１１に表示されるソウフトウェアボタンであっても良い。
【００１７】
操作ボタン１５は、例えばバックボタンである。バックボタンは、表示領域１１の表示を一つ前の表示に切り替えるための操作ボタンである。ユーザが操作ボタン１５を操作することよって、表示領域１１の表示が一つ前の表示に切り替わる。
【００１８】
操作ボタン１６は、例えばホームボタンである。ホームボタンは、表示領域１１にホーム画面を表示させるための操作ボタンである。ユーザが操作ボタン１６を操作することよって、表示領域１１にホーム画面が表示される。
【００１９】
操作ボタン１７は、例えば履歴ボタンである。履歴ボタンは、電子機器１で実行されたアプリケーションの履歴を表示領域１１に表示させるための操作ボタンである。ユーザが操作ボタン１７を操作することよって、表示領域１１には、電子機器１で実行されたアプリケーションの履歴が表示される。
【００２０】
＜電子機器の電気的構成＞
図３は電子機器１の電気的構成の一例を主に示すブロック図である。図３に示されるように、電子機器１には、制御部１００、無線通信部１１０、表示部１２０、タッチパネル１４０、操作ボタン群１８及びＧＰＳ受信機１５０が設けられている。さらに電子機器１には、レシーバ１６０、スピーカ１７０、マイク１８０、第１カメラ１９０及び第２カメラ２００が設けられている。さらに電子機器１には、加速度センサ２１０、温度センサ２２０、地磁気センサ２３０、リアルタイムクロック（以後、「ＲＣＴ］と呼ぶ）２４０、圧力センサ２５０及び電池２６０が設けられている。電子機器１に設けられたこれらの構成要素は、機器ケース１０内に収められている。
【００２１】
制御部１００は、一種の演算処理装置であって、一種の電気回路でもある。制御部１００は、例えば、ＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。制御部１００は、例えば、ＳｏＣ（System-on-a-Chip）、ＭＣＵ（Micro Control Unit）及びＦＰＧＡ（Field-Programmable Gate Array）等の副処理装置（co-processor）をさらに含んでも良い。この場合には、制御部１００は、ＣＰＵ１０１及び副処理装置を互いに協働させて各種の制御を行って良いし、両者を切り替えながら用いて各種の制御を行って良い。制御部１００は制御装置１００とも言える。
【００２２】
記憶部１０３は、ＲＡＭ（Random Access Memory）などの揮発性メモリ１０３ａと、フラッシュＲＯＭ（Read Only Memory）などの不揮発性メモリ１０３ｂとを備えている。揮発性メモリ１０３ａ及び不揮発性メモリ１０３ｂのそれぞれは、ＣＰＵ１０１及びＤＳＰ１０２が読み取り可能な非一時的な記録媒体である。不揮発性メモリ１０３ｂには、電子機器１を制御するための複数の制御プログラム１０３ｂｂが記憶されている。制御部１００の各種機能は、ＣＰＵ１０１及びＤＳＰ１０２が記憶部１０３内の各種制御プログラム１０３ｂｂを実行することによって実現される。
【００２３】
なお、制御部１００の全ての機能あるいは制御部１００の一部の機能は、その機能の実現にソフトウェアが不要なハードウェア回路によって実現されても良い。また、記憶部１０３は、ＲＯＭ及びＲＡＭ以外の、コンピュータが読み取り可能な非一時的な記録媒体を備えても良い。記憶部１０３は、例えば、小型のハードディスクドライブ及びＳＳＤ（Solid State Drive）などを備えても良い。
【００２４】
記憶部１０３内の複数の制御プログラム１０３ｂｂには、様々なアプリケーション（アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ１９０及び第２カメラ２００を利用して被写体を撮影するためのカメラアプリケーション、動画を再生するための動画再生アプリケーション、地図を表示するための地図表示アプリケーション、音楽データの再生制御を行うための音楽再生制御アプリケーションなどが記憶されている。記憶部１０３内の少なくとも一つのアプリケーションは、記憶部１０３内にあらかじめ記憶されているものであって良い。また、記憶部１０３内の少なくとも一つのアプリケーションは、電子機器１が他の装置からダウンロードして記憶部１０３内に記憶したものであって良い。
【００２５】
無線通信部１１０は、アンテナ１１１を有している。無線通信部１１０は、アンテナ１１１を用いて、制御部１００による制御よって無線通信を行うことが可能である。無線通信部１１０は、電子機器１とは別の携帯電話機からの信号、あるいはインターネットに接続されたウェブサーバ等の通信装置からの信号を、基地局等を介してアンテナ１１１で受信することが可能である。無線通信部１１０は、受信信号に対して増幅処理及びダウンコンバートを行って制御部１００に出力することが可能である。制御部１００は、入力される受信信号に対して復調処理等を行って、当該受信信号に含まれるユーザデータ及び制御データ等を取得することが可能である。また無線通信部１１０は、制御部１００で生成された、ユーザデータ及び制御データ等を含む送信信号に対してアップコンバート及び増幅処理を行って、処理後の送信信号をアンテナ１１１から無線送信することが可能である。アンテナ１１１からの送信信号は、基地局等を通じて、電子機器１とは別の携帯電話機、あるいはインターネット等に接続された通信装置で受信される。
【００２６】
表示部１２０は、電子機器１の前面１ａに設けられた表示領域１１と、表示パネル１３０とを備えている。表示部１２０は、表示領域１１に各種情報を表示することが可能である。表示パネル１３０は、例えば、液晶表示パネルあるいは有機ＥＬパネルである。表示パネル１３０は、制御部１００によって制御されることによって、文字、記号、図形などの各種情報を表示することが可能である。表示パネル１３０は、機器ケース１０内において、表示領域１１と対向して配置されている。表示パネル１３０に表示される情報は表示領域１１に表示される。
【００２７】
タッチパネル１４０は、表示領域１１に対する指等の操作子による操作を検出することが可能である。タッチパネル１４０は、例えば、投影型静電容量方式のタッチパネルであって、表示領域１１の裏側に配置されている。ユーザが指等の操作子によって表示領域１１に対して操作を行ったとき、その操作に応じた電気信号がタッチパネル１４０から制御部１００に入力される。制御部１００は、タッチパネル１４０からの電気信号に基づいて、表示領域１１に対して行われた操作の内容を特定して、その内容に応じた処理を行うことが可能である。
【００２８】
操作ボタン群１８の操作ボタン１５，１６，１７のそれぞれは、ユーザによって操作されると、操作されたことを示す操作信号を制御部１００に出力することが可能である。これにより、制御部１００は、操作ボタン１５，１６，１７のそれぞれについて、当該操作ボタンが操作されたか否かを判断することができる。操作信号が入力された制御部１００が他の構成要素を制御することによって、電子機器１では、操作された操作ボタンに割り当てられている上述の機能が実行される。
【００２９】
ＧＰＳ受信機１５０は、アンテナ１５１を有している。ＧＰＳ受信機１５０は、アンテナ１５１を用いて、制御部１００による制御によって、ＧＰＳ（Global Positioning System）の人工衛星からの無線信号を受信することが可能である。ＧＰＳ受信機１５０は、受信した無線信号に基づいて電子機器１の現在位置を算出する。ＧＰＳ受信機１５０で求められた現在位置は制御部１００に入力される。ＧＰＳ受信機１５０は、電子機器１の現在位置を取得する位置取得部として機能する。
【００３０】
マイク１８０は、電子機器１の外部から入力される音を電気的な音信号に変換して制御部１００に出力することが可能である。電子機器１の外部からの音は、マイク穴１４から電子機器１の内部に取り込まれてマイク１８０に入力される。
【００３１】
スピーカ１７０は、例えばダイナミックスピーカである。スピーカ１７０は、制御部１００からの電気的な音信号を音に変換して出力することが可能である。スピーカ１７０から出力される音はスピーカ穴１３から外部に出力される。スピーカ穴１３から出力される音は、電子機器１から離れた場所でも聞こえるようになっている。
【００３２】
レシーバ１６０は受話音を出力することが可能である。レシーバ１６０は例えばダイナミックスピーカで構成されている。レシーバ１６０は、制御部１００からの電気的な音信号を音に変換して出力する。レシーバ１６０から出力される音はレシーバ穴１２から外部に出力される。レシーバ穴１２から出力される音の音量は、スピーカ穴１３から出力される音の音量よりも小さくなっている。レシーバ穴１２から出力される音は、当該レシーバ穴１２に耳を近づけた場合に聞こえるようになっている。なお、レシーバ１６０の代わりに、機器ケース１０の前面部分を振動させる、圧電振動素子等の振動素子を設けて、当該前面部分から音をユーザに伝えても良い。
【００３３】
第１カメラ１９０は、レンズ１９１及び撮像素子などで構成されている。第２カメラ２００は、レンズ２０１及び撮像素子などで構成されている。第１カメラ１９０及び第２カメラ２００のそれぞれは、制御部１００による制御に基づいて静止画あるいは動画を撮影して制御部１００に出力することが可能である。
【００３４】
第１カメラ１９０のレンズ１９１は、電子機器１の前面１ａから視認可能となっている。したがって、第１カメラ１９０は、電子機器１の前面１ａ側（表示領域１１側）に存在する被写体を撮影することが可能である。第２カメラ２００のレンズ２０１は、電子機器１の背面１ｂから視認可能となっている。したがって、第２カメラ２００は、電子機器１の背面１ｂ側に存在する被写体を撮影することが可能である。以後、第１カメラ１９０を「インカメラ１９０」と呼び、第２カメラ２００を「アウトカメラ２００」と呼ぶことがある。また、インカメラ１９０及びアウトカメラ２００を特に区別する必要がないときには、それぞれを単に「カメラ」と呼ぶことがある。
【００３５】
加速度センサ２１０は、電子機器１の加速度を検出し、検出した加速度に応じた検出信号を制御部１００に出力することが可能である。制御部１００は、加速度センサ２１０を動作させたり、加速度センサ２１０の動作を停止したりすることが可能である。
【００３６】
温度センサ２２０は、電子機器１の温度を検出し、検出した温度に応じた検出信号を制御部１００に出力することが可能である。制御部１００は、温度センサ２２０を動作させたり、温度センサ２２０の動作を停止したりすることが可能である。
【００３７】
地磁気センサ２３０は、地磁気を検出し、検出した地磁気に応じた検出信号を制御部１００に出力することが可能である。制御部１００は、地磁気センサ２３０を動作させたり、地磁気センサ２３０の動作を停止したりすることが可能である。
【００３８】
ＲＴＣ２４０は、現在の日時を計測して制御部１００に出力することが可能である。ＲＴＣ２４０は、現在の日時を取得する日時取得部として機能する。
【００３９】
圧力センサ２５０は、気体及び液体の圧力を検出することが可能である。圧力センサ２５０は、電子機器１にかかる圧力を検出し、検出した圧力に応じた検出信号を出力することが可能である。制御部１００は、圧力センサ２５０を動作させたり、圧力センサ２５０の動作を停止したりすることが可能である。
【００４０】
電池２６０は電子機器１の電源を出力することが可能である。電池２６０は例えば充電式の電池である。電池２６０から出力される電源は、電子機器１が備える制御部１００及び無線通信部１１０などの各種構成に対して供給される。
【００４１】
＜制御部内の機能ブロック＞
図４は、ＣＰＵ１０１及びＤＳＰ１０２が記憶部１０３内の制御プログラム１０３ｂｂを実行することによって形成される機能ブロックの一例を示す図である。図４に示されるように、制御部１００は、機能ブロックとして、速さ算出部３００、温度算出部３１０、気圧算出部３２０、標高算出部３３０及び方角特定部３４０を備えている。なお、これらの機能ブロックのうちの一部あるいは全部が、その機能の実行にソフトウェアが不要なハードウェア回路で実現されても良い。
【００４２】
速さ算出部３００は、加速度センサ２１０から出力される検出信号に基づいて、電子機器１の速さを算出することが可能である。電子機器１では、加速度センサ２１０及び速さ算出部３００によって、電子機器１の速さを取得する速さ取得部３５０が構成される。以後、特に説明が無い限り「速さ」と言えば電子機器１の速さを意味する。
【００４３】
温度算出部３１０は、温度センサ２２０から出力される検出信号に基づいて電子機器１の温度を算出することが可能である。電子機器１では、温度センサ２２０及び温度算出部３１０によって、電子機器１の温度を取得する温度取得部３６０が構成される。以後、特に説明が無い限り「温度」と言えば電子機器１の温度を意味する。
【００４４】
気圧算出部３２０は、圧力センサ２５０から出力される検出信号に基づいて、電子機器１の周囲の気圧を算出することが可能である。標高算出部３３０は、気圧算出部３２０で求められた気圧に基づいて、電子機器１が存在する場所の標高を算出することが可能である。電子機器１では、圧力センサ２５０及び気圧算出部３２０によって、電子機器１の周囲の気圧を取得する気圧取得部３７０が構成される。また、電子機器１では、圧力センサ２５０、気圧算出部３２０及び標高算出部３３０によって、電子機器１が存在する場所の標高を取得する標高取得部３８０が構成される。以後、特に説明が無い限り「標高」と言えば電子機器１が存在する場所の標高を意味する。
【００４５】
方角特定部３４０は、地磁気センサ２３０から出力される検出信号に基づいて、インカメラ１９０のレンズ１９１が向いている方角を特定することが可能である。また、方角特定部３４０は、地磁気センサ２３０から出力される検出信号に基づいて、アウトカメラ２００のレンズ２０１が向いている方角を特定することが可能である。電子機器１では、地磁気センサ２３０及び方角特定部３４０によって、インカメラ１９０及びアウトカメラ２００のレンズが向いている方角を取得する方角取得部３９０が構成される。
【００４６】
＜動画撮影について＞
図５は、電子機器１が動画を撮影する際の当該電子機器１の使用態様の一例を示す図である。図５に示される例では、電子機器１は、アウトカメラ２００を使用して動画を撮影する。電子機器１は、ユーザ５０が乗る自転車６０のハンドル６１に対して固定部材７０によって固定されている。電子機器１は、アウトカメラ２００のレンズ２０１が、自転車６０の進行方向を向くように、ハンドル６１に固定されている。これにより、アウトカメラ２００は、自転車６０の進行方向に存在する被写体を動画撮影する。
【００４７】
なお、電子機器１は、インカメラ１９０で動画を撮影しても良い。また、電子機器１が動画を撮影する際の当該電子機器１の使用態様は図５の例に限られない。例えば、ユーザは電子機器１を手に持った状態で電子機器１に動画を撮影させても良い。また、電子機器１に対してネックストラップを取り付け、ユーザは、当該ネックストラップを首から下げた状態で電子機器１に動画を撮影させても良い。
【００４８】
図６は動画撮影時の電子機器１の動作の一例を示すフローチャートである。電子機器１は、例えば、動画撮影中に各種情報を取得し、取得した情報を撮影中の動画とともに表示する。この情報を「撮影付帯情報」と呼ぶ。撮影付帯情報には、例えば、速さ、時刻、標高、動画撮影で使用しているカメラのレンズが向いている方角などが含まれる。以後、動画撮影で使用しているカメラのレンズが向いている方角を単に「カメラレンズの向き」と呼ぶことがある。また動画撮影で使用するカメラを「使用カメラ」と呼ぶことがある。
【００４９】
図６に示されるように、ステップｓ１において、制御部１００は、タッチパネル１４０が、カメラアプリケーションの実行を指示する実行指示操作を受け付けると、ステップｓ２において、記憶部１０３内のカメラアプリケーションを読み出して実行する。カメラアプリケーションが実行されると、ステップｓ３において、表示部１２０は、制御部１００による制御によって、使用カメラで撮影されるスルー画像を表示する。ユーザは、表示領域１１を操作することによって、使用カメラを、インカメラ１９０にするのか、アウトカメラ２００にするのかを決定することができる。スルー画像は、ユーザが、使用カメラが撮影する撮影範囲内の被写体をリアルタイムに確認するための動画である。スルー画像は、ライブビュー画像あるいはプレビュー画像とも呼ばれる。使用カメラで撮影されるスルー画像は、揮発性メモリ１０３ａに一時的に記憶される。制御部１００は、揮発性メモリ１０３ａからスルー画像を読み出して表示部１２０に表示させる。
【００５０】
次にステップｓ４において、タッチパネル１４０が、動画撮影の開始を指示する開始指示操作を受け付けると、ステップｓ５において、制御部１００は、使用カメラに、動画の撮影を開始させる。使用カメラで撮影される動画は不揮発性メモリ１０３ｂに保存される。以後、特に断らない限り、使用カメラで撮影される動画とは、スルー画像ではなく、不揮発性メモリ１０３ｂに保存される動画を意味する。また、使用カメラで撮影されて、不揮発性メモリ１０３ｂに保存される動画を単に「撮影動画」と呼ぶことがある。
【００５１】
使用カメラで動画の撮影が開始すると、ステップｓ６において、制御部１００は、撮影動画及び撮影付帯情報を表示部１２０に表示させる。使用カメラで動画が撮影されている間、使用カメラで撮影される動画と、当該動画の撮影と並行して取得される撮影付帯情報とが、リアルタイムに表示部１２０で表示される。
【００５２】
ここで、タッチパネル１４０が、動画撮影の開始を指示する開始指示操作を受け付けると、制御部１００は、撮影付帯情報の取得に必要であって、動作が停止している構成要素を起動させる。具体的には、制御部１００は、動作が停止している加速度センサ２１０、地磁気センサ２３０及び圧力センサ２５０を起動する。これにより、加速度センサ２１０を有する速さ取得部３５０は速さの取得を開始する。また、圧力センサ２５０を有する標高取得部３８０は標高の取得を開始する。また、地磁気センサ２３０を有する方角取得部３９０はカメラレンズの向きの取得を開始する。なお、電子機器１の動作中においては、ＲＴＣ２４０は例えば常に動作していることから、タッチパネル１４０が、動画撮影の開始を指示する開始指示操作を受け付けた時点においてＲＴＣ２４０は動作している。
【００５３】
制御部１００は、使用カメラで動画の撮影が開始すると、使用カメラで撮影される動画と、当該動画の撮影と並行して取得される撮影付帯情報、本例では、速さ、時刻、標高及びカメラレンズの向きとをリアルタイムに表示部１２０に表示させる。
【００５４】
図７は、動画撮影中に表示部１２０に表示される画面の一例を示す図である。表示領域１１には撮影動画４００が表示される。さらに、表示領域１１には、撮影付帯情報を含む付帯情報画面４３０が、例えば撮影動画４００に重ねられて表示される。
【００５５】
付帯情報画面４３０には、ＲＴＣ２４０で取得される現在時刻を示すアナログ時計４４０が含まれている。また付帯情報画面４３０には、速さ取得部３５０で取得される現在の速さを数値で示す速さ情報４５０と、当該速さを示すアナログ式のスピードメータ４６０とが含まれる。また付帯情報画面４３０には、標高取得部３８０で取得される現在の標高を示す標高情報４７０と、方角取得部３９０で取得される現在のカメラレンズの向きを示す方角情報４８０とが含まれている。
【００５６】
標高情報４７０には、複数の目盛４７２が付された目盛軸４７１が含まれている。各目盛４７２には数値４７３が付されている。そして、標高情報４７０には、現在の標高に対応する目盛４７２を指し示す三角形のマーク４７４が含まれている。マーク４７４が指し示す目盛４７２に付された数値４７３が現在の標高を示している。
【００５７】
方角情報４８０には、方角を示す複数の目盛４８２が付された目盛軸４８１が含まれている。複数の目盛４８２の一部には、方角を示す文字４８３が付されている。図７に示される「Ｎ」という文字４８３は「北」を意味し、「ＮＷ］という文字４８３は「北西」を意味する。そして、方角情報４８０には、現在のカメラレンズの向きに対応する目盛４８２を指し示す三角形のマーク４８４が含まれている。マーク４８４が指し示す目盛４８２に付された文字４８３が示す方角が、現在のカメラレンズの向きとなっている。図５の例のように、ユーザが進行する方角と、使用カメラであるアウトカメラ２００のレンズ２１０が向いている方角とが一致する場合には、カメラレンズの向きは、ユーザが進行する方角を意味する。つまり、この場合には、表示部１２０には、撮影動画４００とともに、ユーザが移動している方角が表示される。
【００５８】
ステップｓ６の後、ステップｓ７において、タッチパネル１４０が、動画撮影の終了を指示する終了指示操作を受け付けると、ステップｓ８において、制御部１００は、使用カメラに動画の撮影を終了させる。次に制御部１００は、ステップｓ９において、使用カメラで撮影されるスルー画像を表示部１２０に表示させる。動画の撮影が終了すると、表示部１２０には撮影付帯情報は表示されない。
【００５９】
なお、撮影付帯情報には、速さ、時刻、標高及びカメラレンズの向きのうちの一部だけが含まれても良い。また、撮影付帯情報には、速さ、時刻、標高及びカメラレンズの向き以外の情報が含まれても良い。撮影付帯情報には、例えば、ＧＰＳ受信機１５０で取得される電子機器１の現在位置が含まれても良い。また、撮影付帯情報には、温度取得部３６０で取得される温度が含まれても良い。また、撮影付帯情報には、気圧取得部３７０で取得される気圧が含まれても良い。
【００６０】
＜動画再生について＞
図８は撮影動画が再生される際の電子機器１の動作を示すフローチャートである。図８に示されるように、ステップｓ１１において、タッチパネル１４０が、不揮発性メモリ１０３ｂ内のある撮影動画を選択する選択操作を受け付けると、制御部１００は、ステップｓ１２において、不揮発性メモリ１０３ｂ内の動画再生アプリケーションを実行する。そして、ステップｓ１３において、制御部１００は、選択された撮影動画を再生対象とし、例えば、再生対象の撮影動画の最初のフレーム画像を表示部１２０に表示させる。その後、ステップｓ１４において、タッチパネル１４０が、再生対象の撮影動画の再生を指示する再生指示操作を受け付けると、制御部１００は、ステップｓ１５において、表示部１２０に、再生対象の撮影動画を再生させる。
【００６１】
図９は動画再生アプリケーションの実行中に、表示部１２０が制御部１００による制御によって表示する再生画面５００の一例を示す図である。図９では、動画再生中の再生画面５００が示されている。再生画面５００は、部分画面５０１〜５０５を含んでいる。再生画面５００では、部分画面５０１〜５０５が、上からこの順番で並んでいる。
【００６２】
部分画面５０１には、全画面表示ボタン５１０と、表示部１２０に表示されている画面が再生画面５００であることを示す文字列５１１とが示される。
【００６３】
部分画面５０２には、再生中の動画の現在の再生箇所のフレーム画像についての撮影日時５２０が含まれる。制御部１００は、使用カメラにおいて動画の撮影中に、当該動画の各フレーム画像の撮影日時を、ＲＴＣ２４０から出力される日時に基づいて特定する。そして、制御部１００は、各フレーム画像と、その撮影日時とを互いに対応付けて不揮発性メモリ１０３ｂに記憶する。これにより、表示部１２０は、制御部１００による制御により、再生中の動画５３０の現在の再生箇所のフレーム画像、つまり現在表示されているフレーム画像の撮影日時５２０を表示することが可能となる。動画５３０の再生中では、撮影日時５２０は刻々と変化する。また部分画面５０２には、動画５３０の再生時間５１１が示される。制御部１００は、ＲＴＣ２４０から出力される日時に基づいて再生時間５１１を求めることができる。
【００６４】
部分画面５０３には、再生中の動画５３０が示される。部分画面５０３には、再生中の動画５３０の各フレーム画像５３１が順次表示される。部分画面５０４には、再生中の動画５３０での現在の再生箇所を示すシークバー５４０が示される。シークバーは、プログレスバーあるいは再生インジケータとも呼ばれる。部分画面５０５には、一時停止ボタン５５０、早戻しボタン５５１及び早送りボタン５５２が示される。
【００６５】
制御部１００は、タッチパネル１４０が、全画面表示ボタン５１０に対する所定の操作（例えばタップ操作）を検出すると、表示部１２０に、その表示領域１１のほぼ全領域に動画５３０を表示させる。
【００６６】
制御部１００は、タッチパネル１４０が、早戻しボタン５５１に対する所定の操作（例えば長押し操作）を検出すると、表示部１２０が再生する動画５３０の再生箇所を前に戻す。制御部１００は、ユーザが指等の操作子で早戻しボタン５５１を触っている間、動画５３０の再生箇所を前に戻していく。
【００６７】
制御部１００は、タッチパネル１４０が、早送りボタン５５２に対する所定の操作（例えば長押し操作）を検出すると、表示部１２０が再生する動画５３０の再生箇所を先に進める。制御部１００は、ユーザが指等の操作子で早送りボタン５５２を触っている間、動画５３０の再生箇所を先に進めていく。
【００６８】
制御部１００は、タッチパネル１４０が、一時停止ボタン５５０に対する所定の操作（例えばタップ操作）を検出すると、表示部１２０での動画５３０の再生が停止するように表示部１２０を制御する。このとき、一時停止ボタン５５０に対する所定の操作をタッチパネル１４０が検出したときの動画５３０の再生箇所で動画５３０の再生は停止する。
【００６９】
図１０は、動画５３０の再生が停止している場合の再生画面５００の一例を示す図である。動画５３０の再生が停止している場合には、部分画面５０５には、一時停止ボタン５５０の代わりに再生ボタン５５５が示される。また部分画面５０３には、一時停止ボタン５５０に対して所定の操作が行われたときの動画５３０の再生箇所のフレーム画像５３１が示される。制御部１００は、タッチパネル１４０が、再生ボタン５５５に対する所定の操作（例えばタップ操作）を検出すると、表示部１２０に、再生が停止している箇所から動画５３０を再生させる。言い換えれば、制御部１００は、表示部１２０に、部分画面５０３に示されるフレーム画像５３１から動画５３０を再生させる。再生ボタン５５５に対する所定の操作が、上述の再生指示操作となる。
【００７０】
以後、動画の再生中の再生画面５００を「再生画面５００ａ」と呼び、動画の再生が停止している場合の再生画面５００を「再生画面５００ｂ」と呼ぶことがある。
【００７１】
＜シークバーの詳細＞
次にシークバー５４０について詳細に説明する。シークバー５４０では、動画５３０の再生の進行に応じてスライダ５４２が線状物５４１上を移動する。スライダ５４２は、線状物５４１上を、動画５３０の再生が進むにつれて左側から右側に向かって移動する。線状物５４１上でのスライダ５４２の位置が、再生中の動画５３０での現在の再生箇所を示す。本例では、スライダ５４２の中心５４２ａが線状物５４１の左端５４１ａに位置する場合、動画５３０の再生箇所は最初のフレーム画像となる。また、スライダ５４２の中心５４２ａが線状物５４１の右端５４１ｂに位置する場合、動画５３０の再生箇所は最後のフレーム画像となる。
【００７２】
また図１０に示されるように、動画５３０の再生が停止している場合には、線状物５４１上でのスライダ５４２の位置は、動画５３０での再生停止箇所を示す。動画５３０の再生が停止している場合において、スライダ５４２の中心５４２ａが線状物５４１の左端５４１ａに位置するとき、最初のフレーム画像で動画５３０の再生が停止している。また、スライダ５４２の中心５４２ａが線状物５４１の右端５４１ｂに位置するとき、最後のフレーム画像で動画５３０の再生が停止している。再生ボタン５５５に対して所定の操作が行われると、再生が停止している箇所から動画５３０が再生することから、線状物５４１上でのスライダ５４２の位置は、動画５３０の再生が開始される際に最初に再生される再生箇所を示していると言える。
【００７３】
このように、動画５３０が再生されているか、動画５３０の再生が停止しているかにかかわらず、線状物５４１上でのスライダ５４２の位置は、動画５３０の再生箇所を示していると言える。言い換えれば、線状物５４１上でのスライダ５４２の位置は、動画５３０において、現在どのフレーム画像が表示部１２０に表示されているかを示していると言える。
【００７４】
また、シークバー５４０では、線状物５４１のうち、動画５３０の再生済み部分に対応する第１部分５４１ｃが太く表示される。つまり、線状物５４１のうち、スライダ５４２の中心５４２ａより左側の第１部分５４１ｃの幅が太くなる。一方で、線状物５４１のうち、動画５３０の未再生部分に対応する第２部分５４１ｄが細く表示される。つまり、線状物５４１のうち、スライダ５４２の中心５４２ａより右側の第２部分５４１ｄの幅が細くなる。
【００７５】
本例では、線状物５４１は、動画５３０の再生箇所に応じた所定の情報に応じて曲線状となっている。そして、動画５３０の再生箇所に応じた所定の情報は、当該再生箇所を示すスライダ５４２の位置によって示される。つまり、曲線状の線状物５４１上を移動するスライダ５４２の位置は、動画５３０の再生箇所だけではなく、その再生箇所に応じた所定の情報も示す。以後、この所定の情報を「再生付帯情報」と呼ぶ。曲線状の線状物とは、直線状ではない線状物を意味している。したがって、曲線状の線状物には、湾曲状の線状物、折れ線状の線状物及びパルス状の線状物などが含まれる。曲線状の線状物は、非直線状の線状物とも言える。
【００７６】
図１１はシークバー５４０を説明するための図である。図１１に示されるように、シークバー５４０の線状物５４１は、第１の軸５８１が動画５３０の再生経過時間を示し、当該第１の軸５８１に垂直な第２の軸５８２が再生付帯情報を示す二次元上のグラフで表される。ここで、再生経過時間とは、動画５３０の再生が先頭から開始する際の再生開始からの経過時間を意味する。以後、説明の便宜上、第１の軸５８１を「Ｘ軸５８１」と呼び、第２の軸５８２を「Ｙ軸５８２」と呼ぶ。また、Ｘ軸５８１に沿った方向を「Ｘ軸方向」と呼び、Ｙ軸５８２に沿った方向を「Ｙ軸方向」と呼ぶ。
【００７７】
線状物５４１上でのスライダ５４２のＸ軸方向の位置は、動画５３０の再生箇所を示している。つまり、線状物５４１上でのスライダ５４２のＸ軸方向の位置は、再生経過時間が、スライダ５４２の中心５４２ａのＸ座標値Ｘ１と一致するときに再生される再生箇所を示している。言い換えれば、線状物５４１上でのスライダ５４２のＸ軸方向の位置は、動画５３０の再生が先頭から開始してから、当該位置を示すＸ座標値Ｘ１だけ経過したときに再生される再生箇所を示している。動画５３０の再生中においては、線状物５４１上でのスライダ５４２のＸ軸方向の位置は、動画５３０の現在の再生箇所を示している。また、動画５３０の再生が停止しているときには、線状物５４１上でのスライダ５４２のＸ軸方向の位置は、動画５３０の再生が開始する箇所、つまり、動画５３０の再生が開始する際に最初に再生される再生箇所を示している。
【００７８】
線状物５４１の左端５４１ａのＸ座標値は０を示している。また、線状物５４１の右端５４１ｂのＸ座標値は、動画５３０の撮影時間を示している。線状物５４１の右端５４１ｂのＸ座標値は、動画５３０が最初から最後まで再生されるのに必要な時間を示すと言える。撮影時間が例えば１０分であるとすると、線状物５４１の右端５４１ｂのＸ座標値は１０分を示す。線状物５４１のＸ軸方向の長さは、撮影された動画５３０の撮影時間を示していると言える。
【００７９】
以後、線状物５４１上でのスライダ５４２のＸ軸方向の位置を「スライダ５４２のＸ軸方向位置」と呼ぶ。また、線状物５４１上でのスライダ５４２のＹ軸方向の位置を「スライダ５４２のＹ軸方向位置」と呼ぶ。
【００８０】
一方で、スライダ５４２のＹ軸方向位置は、スライダ５４２のＸ軸方向位置が示す再生箇所に応じた再生付帯情報を示している。スライダ５４２のＹ軸方向位置を示す、スライダ５４２の中心５４２ａのＹ座標値Ｙ１は、再生経過時間がＸ座標値Ｘ１と一致するときに再生される再生箇所に応じた再生付帯情報を示す。言い換えれば、Ｙ座標値Ｙ１は、動画５３０の再生が先頭から開始してから、Ｘ座標値Ｘ１だけ経過したときに再生される再生箇所に応じた再生付帯情報を示す。動画５３０の再生中においては、スライダ５４２のＹ軸方向位置は、動画５３０の現在の再生箇所に応じた再生付帯情報を示す。また、動画５３０の再生が停止しているときには、スライダ５４２のＹ軸方向位置は、動画５３０の再生が開始される際に最初に再生される再生箇所に応じた再生付帯情報を示す。
【００８１】
再生付帯情報としては、例えば、動画５３０のフレーム画像が撮影される際の当該フレーム画像の撮影場所の標高が採用される。上述のように、制御部１００は、撮影動画の各フレーム画像と、その撮影日時とを互いに対応付けて不揮発性メモリ１０３ｂに保存する。さらに、制御部１００は、使用カメラでの動画の撮影中において、当該動画のフレーム画像が撮影される際に標高取得部３８０で取得される標高と、当該フレーム画像とを対応付けて不揮発性メモリ１０３ｂに保存する。フレーム画像が撮影される際に標高取得部３８０で取得される標高は、当該フレーム画像が撮影されるときの、電子機器１が存在する位置の標高であると言える。したがって、フレーム画像が撮影される際に標高取得部３８０で取得される標高は、当該フレーム画像が撮影される際の当該フレーム画像の撮影場所の標高であると言える。これにより、不揮発性メモリ１０３ｂでは、図１２に示されるように、撮影動画の各フレーム画像について、当該フレーム画像と、その撮影日時と、当該フレーム画像が撮影される際の当該フレーム画像の撮影場所の標高とが互いに対応付けられて保存される。以後、フレーム画像が撮影される際の当該フレーム画像の撮影場所の標高を単に「撮影場所標高」と呼ぶことがある。
【００８２】
再生付帯情報として、フレーム画像の撮影場所標高が採用される場合には、Ｙ軸５８２はフレーム画像の撮影場所標高を示す。そして、スライダ５４２のＹ軸方向位置は、スライダ５４２のＸ軸方向位置が示す再生箇所のフレーム画像の撮影場所標高を示す。よって、スライダ５４２の中心５４２ａのＹ座標値Ｙ１は、再生経過時間が、当該中心５４２ａのＸ座標値Ｘ１と一致するときに再生される再生箇所のフレーム画像の撮影場所標高を示す。動画５３０の再生中においては、スライダ５４２のＹ軸方向位置は、動画５３０の現在の再生箇所のフレーム画像の撮影場所標高を示している。また、動画５３０の再生が停止しているときには、スライダ５４２のＹ軸方向位置は、動画５３０の再生が開始される際に最初に再生される再生箇所のフレーム画像の撮影場所標高を示している。本例では、Ｙ軸５８２のプラス方向に向かうほど、Ｙ軸５８２が示す撮影場所標高は大きくなっている。
【００８３】
上述のように、不揮発性メモリ１０３ｂには、フレーム画像と、当該フレーム画像の撮影場所標高とが対応付けられている。また、再生経過時間及び撮影時間は、各フレーム画像に対応付けられている撮影日時から特定することができる。よって、制御部１００は、不揮発性メモリ１０３ｂ内の情報に基づいて、図１１に示されるようなシークバー５４０を表示部１２０に表示させることができる。なお、図１１に示されるＸ軸５８１及びＹ軸５８２は、再生画面５００には示されない。
【００８４】
動画５３０が再生されているか、動画５３０の再生が停止しているかにかかわらず、ユーザは、電子機器１を操作することによって、線状物５４１上でのスライダ５４２の位置が所望の位置となるように当該位置を電子機器１に変化させることができる。例えば、図１３に示されるように、ユーザが、スライダ５４２に対して自身の指６００を接触させた状態で、線状物５４１に沿って指６００を移動させると、指６００の移動に追従してスライダ５４２の位置が変化する。つまり、ユーザが、スライダ５４２に対して指６００を接触させた状態で、線状物５４１に沿って指６００を移動させると、スライダ５４２が常に指６００に接触されるように、当該スライダ５４２の位置が変化する。これにより、ユーザは、線状物５４１上でのスライダ５４２の位置が所望の位置となるように当該位置を電子機器１に変化させることができる。よって、ユーザは、動画５３０の所望の箇所から電子機器１に当該動画５３０を再生させることができる。
【００８５】
また、ユーザが、線状物５４１に対して指等の操作子を接触させると、当該線状物５４１における、操作子が接触された箇所に、スライダ５４２の中心５４２ａが位置するようになる。これにより、ユーザは、線状物５４１上でのスライダ５４２の位置が所望の位置となるように当該位置を電子機器１に変化させることができる。
【００８６】
以上のように、シークバー５４０では、曲線状の線状物５４１上でのスライダ５４２の位置が、動画５３０の再生箇所だけはなく、当該再生箇所に応じた再生付帯情報を示す。このため、ユーザは、スライダ５４２の位置が示す再生付帯情報に基づいて、動画５３０での所望の箇所を容易に見つけることができる。
【００８７】
本例では、再生付帯情報は、フレーム画像の撮影場所標高であることから、ユーザは、スライダ５４２の位置が示すフレーム画像の撮影場所標高に基づいて、動画５３０での所望の箇所を容易に見つけることができる。例えば、ユーザは、動画５３０において標高が高い場所で撮影された箇所を容易に特定することができる。よって、ユーザは、例えば、スライダ５４２を指６００で操作することによって、図１４に示されるように、電子機器１に、スライダ５４２の位置を、標高が高い場所で撮影された箇所が再生される位置に変更させることができる。これにより、ユーザは、再生画面５００の部分画面５０３に示される、標高が高い場所で撮影されたフレーム画像を確認することができる。
【００８８】
また例えば、ユーザは、動画５３０において、標高が低い場所で撮影された箇所を容易に特定することができる。よって、ユーザは、例えば、スライダ５４２を指６００で操作することによって、図１５に示されるように、電子機器１に、スライダ５４２の位置を、標高が低い場所で撮影された箇所が再生される位置に変更させることができる。これにより、ユーザは、再生画面５００の部分画面５０３に示される、標高が低い場所で撮影されたフレーム画像を確認することができる。
【００８９】
なお、図１３，１４は動画５３０の再生中の再生画面５００ａを示しており、図１５は動画５３０の再生が停止している場合の再生画面５００ｂを示している。
【００９０】
再生付帯情報は、フレーム画像の撮影場所標高以外の情報であっても良い。再生付帯情報は、例えば、フレーム画像が撮影される際の当該フレーム画像の撮影場所の気圧であっても良い。この場合には、制御部１００は、使用カメラでの動画の撮影中において、当該動画のフレーム画像が撮影される際に気圧取得部３７０で取得される気圧と、当該フレーム画像とを対応付けて不揮発性メモリ１０３ｂに保存する。フレーム画像が撮影される際に気圧取得部３７０で取得される気圧は、当該フレーム画像が撮影される際の電子機器１の周囲の気圧であると言える。したがって、フレーム画像が撮影される際に気圧取得部３７０で取得される気圧は、当該フレーム画像が撮影される際の当該フレーム画像の撮影場所の気圧であると言える。よって、制御部１００は、フレーム画像が撮影される際の当該フレーム画像の撮影場所の気圧を取得することができる。再生付帯情報が、フレーム画像が撮影される際の当該フレーム画像の撮影場所の気圧である場合には、スライダ５４２のＹ軸方向位置は、スライダ５４２のＸ軸方向位置が示す再生箇所のフレーム画像が撮影される際の当該フレーム画像の撮影場所の気圧を示す。言い換えれば、スライダ５４２の中心５４２ａのＹ座標値Ｙ１は、再生経過時間が、当該中心５４２ａのＸ座標値Ｘ１と一致するときに再生される再生箇所のフレーム画像が撮影される際の当該フレーム画像の撮影場所の気圧を示す。ユーザは、スライダ５４２の位置が示す気圧に基づいて、動画５３０での所望の箇所を容易に見つけることができる。以後、フレーム画像が撮影される際の当該フレーム画像の撮影場所の気圧を単に「撮影場所気圧」と呼ぶことがある。
【００９１】
また再生付帯情報は、フレーム画像が撮影される際の電子機器１の速さであっても良い。この場合には、制御部１００は、使用カメラでの動画の撮影中において、当該動画のフレーム画像が撮影される際に速さ取得部３５０で取得される速さと、当該フレーム画像とを対応付けて不揮発性メモリ１０３ｂに保存する。フレーム画像が撮影される際に速さ取得部３５０で取得される速さは、当該フレーム画像が撮影される際の電子機器１の速さであると言える。よって、制御部１００は、フレーム画像が撮影される際の電子機器１の速さを取得することができる。再生付帯情報が、フレーム画像が撮影される際の電子機器１の速さである場合には、スライダ５４２のＹ軸方向位置は、スライダ５４２のＸ軸方向位置が示す再生箇所のフレーム画像が撮影される際の電子機器１の速さを示す。言い換えれば、スライダ５４２の中心５４２ａのＹ座標値Ｙ１は、再生経過時間が、当該中心５４２ａのＸ座標値Ｘ１と一致するときに再生される再生箇所のフレーム画像が撮影される際の電子機器１の速さを示す。ユーザは、スライダ５４２の位置が示す速さに基づいて、動画５３０での所望の箇所を容易に見つけることができる。
【００９２】
また再生付帯情報は、フレーム画像が撮影される際の電子機器１の温度であっても良い。この場合には、制御部１００は、使用カメラでの動画の撮影中において、当該動画のフレーム画像が撮影される際に温度取得部３６０で取得される温度と、当該フレーム画像とを対応付けて不揮発性メモリ１０３ｂに保存する。フレーム画像が撮影される際に温度取得部３６０で取得される温度は、当該フレーム画像が撮影される際の電子機器１の温度であると言える。よって、制御部１００は、フレーム画像が撮影される際の電子機器１の温度を取得することができる。再生付帯情報が、フレーム画像が撮影される際の電子機器１の温度である場合には、スライダ５４２のＹ軸方向位置は、スライダ５４２のＸ軸方向位置が示す再生箇所のフレーム画像が撮影される際の電子機器１の温度を示す。言い換えれば、スライダ５４２の中心５４２ａのＹ座標値Ｙ１は、再生経過時間が、当該中心５４２ａのＸ座標値Ｘ１と一致するときに再生される再生箇所のフレーム画像が撮影される際の電子機器１の温度を示す。ユーザは、スライダ５４２の位置が示す温度に基づいて、動画５３０での所望の箇所を容易に見つけることができる。
【００９３】
また再生付帯情報は、電子機器１が、動画５３０の撮影を開始してから、当該動画５３０のフレーム画像を撮影するまでに移動した距離であっても良い。この場合には、制御部１００は、使用カメラでの動画の撮影中において、当該動画のフレーム画像が撮影される際にＧＰＳ受信機１５０で取得される電子機器１の位置と、当該フレーム画像とを対応付けて不揮発性メモリ１０３ｂに保存する。そして、制御部１００は、不揮発性メモリ１０３ｂにおいて各フレーム画像に対応付けられている位置に基づいて、電子機器１が、動画５３０の撮影を開始してから各フレーム画像を撮影するまでに移動した距離を求める。以後、電子機器１が、動画５３０の撮影を開始してから、フレーム画像を撮影するまでに移動した距離を「フレーム画像の撮影時の移動距離」と呼ぶことがある。
【００９４】
再生付帯情報が、フレーム画像の撮影時の移動距離である場合、スライダ５４２のＹ軸方向位置は、スライダ５４２のＸ軸方向位置が示す再生箇所のフレーム画像の撮影時の移動距離を示す。言い換えれば、スライダ５４２の中心５４２ａのＹ座標値Ｙ１は、再生経過時間が、当該中心５４２ａのＸ座標値Ｘ１と一致するときに再生される再生箇所のフレーム画像の撮影時の移動距離である。ユーザは、スライダ５４２の位置が示す、フレーム画像の撮影時の移動距離に基づいて、動画５３０での所望の箇所を容易に見つけることができる。
【００９５】
また再生付帯情報は、フレーム画像の撮影時に所定のイベントが発生しているか否かという情報であっても良い。図１６はこの場合の再生画面５００の一例を示す図である。再生付帯情報が、フレーム画像の撮影時に所定のイベントが発生しているか否かという情報である場合、スライダ５４２のＹ軸方向位置は、スライダ５４２のＸ軸方向位置が示す再生箇所のフレーム画像の撮影時に所定のイベントが発生しているか否かを示す。そして、Ｙ軸５８２のＹ座標値は、例えば、フレーム画像の撮影時に所定のイベントが発生している場合には１を示し、フレーム画像の撮影時に所定のイベントが発生している場合には０を示す。したがって、スライダ５４２の中心５４２ａのＹ座標値Ｙ１は、再生経過時間が、当該中心５４２ａのＸ座標値Ｘ１と一致するときに再生される再生箇所のフレーム画像の撮影時に所定のイベントが発生している場合には１を示し、当該フレーム画像の撮影時に所定のイベントが発生していない場合には０を示す。これにより、図１６に示されるように、シークバー５４０の線状物５４１では、撮影時に所定のイベントが発生しているフレーム画像が再生される期間に対応する部分がパルス状に変化する。
【００９６】
再生付帯情報が、フレーム画像の撮影時に所定のイベントが発生しているか否かという情報である場合、制御部１００は、動画５３０の撮影中に所定のイベントが発生したか否かを判定する。制御部１００は、動画５３０の撮影中に所定のイベントが発生した判定すると、その所定のイベントが発生しているイベント発生期間を特定する。イベント発生期間は、動画５３０が撮影中にＲＴＣ２４０で取得される時刻に基づいて特定することができる。そして、制御部１００は、イベント発生期間において撮影されたフレーム画像を特定する。これにより、制御部１００は、動画５３０の各フレーム画像について、フレーム画像の撮影時に所定のイベントが発生しているか否かを特定することができる。なお、動画５３０の撮影中に所定のイベントが複数回発生した場合には、制御部１００は、複数回発生した所定のイベントのそれぞれのイベント発生期間において撮影されたフレーム画像を特定する。
【００９７】
所定のイベントとしては、様々なイベントが考えられる。例えば、所定のイベントとしては、電子機器１のユーザのトラブルが考えられる。例えば、上述の図５に示されるように、ユーザ５０の自転車６０に電子機器１が固定されている場合、ユーザ５０が乗る自転車６０が物体にぶつかって横転すると、方角取得部３９０で取得されるカメラレンズの向きは急激に変化する。さらに、速さ取得部３５０で取得される速さは急激に小さくなって零を示す。制御部１００は、例えば、方角取得部３９０で取得されるカメラレンズの向きが短時間で大きく変化し、かつ、速さ取得部３５０で取得される速さが短時間で零になった場合には、ユーザにトラブルが発生したと判断する。制御部１００は、動画５３０の撮影中に、ユーザにトラブルが発生したと判定すると、そのトラブルが発生しているトラブル発生期間を特定する。制御部１００は、例えば、方角取得部３９０で取得されるカメラレンズの向きが短時間で大きく変化し、かつ速さ取得部３５０で取得される速さが短時間で零になった後、速さ取得部３５０で取得される速さが零よりも大きくなり、かつ方角取得部３９０で取得されるカメラレンズの向きが安定する場合には、ユーザのトラブルが解消したと判定する。そして、制御部１００は、トラブルが発生してから当該トラブルが解消するまでの時間をトラブル発生期間とする。制御部１００は、トラブル発生期間を特定すると、動画５３０における、トラブル発生期間において撮影されたフレーム画像を特定する。これにより、制御部１００は、動画５３０の各フレーム画像について、フレーム画像の撮影時にユーザにトラブルが発生しているか否かを特定することができる。
【００９８】
また所定のイベントとしては、電子機器１が水中に入るというイベントであっても良い。制御部１００は、圧力センサ２５０から出力される検出信号に基づいて、電子機器１が水中に存在するか否かを判定することができる。制御部１００は、動画５３０の撮影中に、電子機器１が水中に入ったと判定すると、電子機器１が水中に入っている期間を特定する。そして、制御部１００は、動画５３０における、電子機器１が水中に入っている期間において撮影されたフレーム画像を特定する。これにより、制御部１００は、動画５３０の各フレーム画像について、フレーム画像の撮影時に、電子機器１が水中に入っているか否かを特定することができる。
【００９９】
また、制御部１００は、スライダ５４２のＹ軸方向位置が示す再生付帯情報の種類を、ユーザの指示に応じて切り替えても良い。例えば、図１７に示されるように、再生画面５００の部分画面５０３に、スライダ５４２のＹ軸方向位置が示す再生付帯情報の種類を切り替えるための切替ボタン６５０を設ける。ユーザが、切替ボタン６５０に対して所定の操作（例えばタップ操作）を行うと、制御部１００は、スライダ５４２のＹ軸方向位置が示す再生付帯情報の種類を切り替える。言い換えれば、制御部１００は、Ｙ軸５８２が示す再生付帯情報の種類を切り替える。
【０１００】
ここで、例えば、再生付帯情報として、フレーム画像の撮影場所標高及び撮影場所気圧が使用される場合を考える。スライダ５４２のＹ軸方向位置が現在示す再生付帯情報がフレーム画像の撮影場所標高である場合、ユーザが、切替ボタン６５０に対して所定の操作を行うと、制御部１００は、スライダ５４２のＹ軸方向位置が示す再生付帯情報を、フレーム画像の撮影場所気圧に切り替える。そして、ユーザが、切替ボタン６５０に対して再度所定の操作を行うと、制御部１００は、スライダ５４２のＹ軸方向位置が示す再生付帯情報を、フレーム画像の撮影場所標高に切り替える。以後、制御部１００は同様に動作する。
【０１０１】
また、再生付帯情報として、フレーム画像の撮影場所標高と、フレーム画像が撮影される際の電子機器１の速さと、フレーム画像が撮影される際の電子機器１の温度とが使用される場合を考える。スライダ５４２のＹ軸方向位置が現在示す再生付帯情報がフレーム画像の撮影場所標高である場合、ユーザが、切替ボタン６５０に対して所定の操作を行うと、制御部１００は、スライダ５４２のＹ軸方向位置が示す再生付帯情報を、例えば、フレーム画像が撮影される際の電子機器１の速さに切り替える。そして、ユーザが、切替ボタン６５０に対して再度所定の操作を行うと、制御部１００は、スライダ５４２のＹ軸方向位置が示す再生付帯情報を、フレーム画像が撮影される際の電子機器１の温度に切り替える。そして、ユーザが、切替ボタン６５０に対して再度所定の操作を行うと、制御部１００は、スライダ５４２のＹ軸方向位置が示す再生付帯情報を、フレーム画像の撮影場所標高に切り替える。以後、制御部１００は同様に動作する。
【０１０２】
このような切替ボタン６５０を設けることによって、ユーザは、スライダ５４２のＹ軸方向位置が示す再生付帯情報の種類を簡単に電子機器１に変更させることができる。
【０１０３】
なお図１８に示されるように、スライダ５４２のＹ軸方向位置が現在示す再生付帯情報の種類を特定するための特定情報６６０を再生画面５００に含めても良い。スライダ５４２のＹ軸方向位置が示す再生付帯情報の種類を変更できない場合であっても、図１８のように特定情報６６０を再生画面５００に含めても良い。
【０１０４】
また、制御部１００は、スライダ５４２のＹ軸方向位置が示す再生付帯情報の種類をユーザが選択するための選択画面６７０を表示部１２０に表示させても良い。図１９は選択画面６７０の一例を示す図である。選択画面６７０には、複数の選択ボタン６７１ａ〜６７１ｅが含まれている。ユーザが選択ボタン６７１ａに対して所定の操作（例えばタップ操作）を行うと、制御部１００は、スライダ５４２のＹ軸方向位置が示す再生付帯情を、フレーム画像の撮影場所標高に設定する。ユーザが選択ボタン６７１ｂに対して所定の操作（例えばタップ操作）を行うと、制御部１００は、スライダ５４２のＹ軸方向位置が示す再生付帯情報を、フレーム画像の撮影場所気圧に設定する。ユーザが選択ボタン６７１ｃに対して所定の操作（例えばタップ操作）を行うと、制御部１００は、スライダ５４２のＹ軸方向位置が示す再生付帯情を、フレーム画像が撮影される際の電子機器１の速さに設定する。ユーザが選択ボタン６７１ｄに対して所定の操作（例えばタップ操作）を行うと、制御部１００は、スライダ５４２のＹ軸方向位置が示す再生付帯情を、フレーム画像が撮影される際の電子機器１の温度に設定する。ユーザが選択ボタン６７１ｅに対して所定の操作（例えばタップ操作）を行うと、制御部１００は、スライダ５４２のＹ軸方向位置が示す再生付帯情を、フレーム画像の撮影時の移動距離に設定する。選択画面６７０は、例えば、ユーザが表示領域１１に対して所定の操作を行うと表示部１２０に表示される。なお、再生付帯情報としてユーザが選択できる種類は図１９の例には限られない。
【０１０５】
また図２０に示されるように、表示部１２０は、スライダ５４２のＹ軸方向位置が示す再生付帯情報の値６８０を、スライダ５４２の近傍に表示しても良い。図２０の例では、再生付帯情報は、フレーム画像が撮影される際の電子機器１の温度である。
【０１０６】
＜各種変形例＞
以下に電子機器１の各種変形例について説明する。
【０１０７】
＜第１変形例＞
上記の例では、電子機器１が自ら再生付帯情報を取得していたが、ユーザが再生付帯情報を電子機器１に入力できるようにしても良い。本例では、再生付帯情報は、フレーム画像についてのユーザのお気に入り度である。お気に入り度は、重要度あるいは関心度とも言える。本例では、スライダ５４２のＹ軸方向位置は、スライダ５４２のＸ軸方向位置が示す再生箇所のフレーム画像についてのユーザのお気に入り度を示す。言い換えれば、スライダ５４２の中心５４２ａのＹ座標値Ｙ１は、再生経過時間が、当該中心５４２ａのＸ座標値Ｘ１と一致するときに再生される再生箇所のフレーム画像についてのユーザのお気に入り度を示す。ユーザは、シークバー５４０の線状物５４１を操作することによって、電子機器１に対して、フレーム画像についてのお気に入り度を入力することができる。本例では、Ｙ軸座標値が大きいほど、お気に入り度が大きい。
【０１０８】
本例に係る電子機器１は、動作モードとして、ユーザがフレーム画像のお気に入り度を電子機器１に入力することが可能な入力モードを有している。例えば、再生画面５００の部分画面５０４における、シークバー５４０以外の部分に対してロングタップ操作が行われると、電子機器１の動作モードが入力モードになる。電子機器１の動作モードが入力モードになる条件はこの限りではない。
【０１０９】
図２１は、電子機器１が入力モードのときに表示部１２０に表示される入力画面７００の一例を示す図である。入力画面７００は、部分画面７０１〜７０５を含んでいる。部分画面７０１には、上述の全画面表示ボタン５１０と、電子機器１の動作モードが入力モードであることを示す文字列７１０とが示される。部分画面７０２〜７０５は、上述の部分画面５０２〜５０５とそれぞれ同じである。ただし、部分画面７０４に示されるシークバー５４０の線状物５４１の形状は変更可能となっている。入力画面７００は、文字列５１１の替りに文字列７１０が示される点と線状物５４１の形状が変更可能である点以外については、再生画面５００と同じである。
【０１１０】
ユーザが、表示部１２０に表示される線状物５４１に対するＹ軸５８２に沿った操作（図２１では上下方向沿った操作）を行うと、線状物５４１における、当該操作が行われた箇所のＹ軸５８２に沿った高さが、当該操作に応じて変化する。つまり、タッチパネル１４０が、線状物５４１に対するＹ軸５８２に沿ったユーザ操作を検出すると、制御部１００は、線状物５４１における、当該操作が行われた箇所のＹ軸５８２に沿った高さを、当該ユーザ操作に応じて変更する。タッチパネル１４０が、線状物５４１に対するＹ軸５８２に沿ったユーザ操作を検出すると、制御部１００は、線状物５４１における、当該操作が行われた箇所のＹ軸座標値を、当該ユーザ操作に応じて変更するとも言える。
【０１１１】
本例では、ユーザが、線状物５４１のある箇所に対して指等の操作子を接触させた状態で、当該操作子をＹ軸５８２に沿ってスライド操作させると、当該ある箇所のＹ軸５８２に沿った高さが、当該スライド操作に応じて変化する。例えば図２１に示されるように、ユーザが、線状物５４１のある箇所に対して指６００を接触させた状態で、指６００をＹ軸５８２のプラス方向（図２１では上方向）に沿ってスライド操作させたとする。この場合、図２２に示されるように、線状物５４１における指６００が接触した箇所のＹ軸方向の高さ（当該箇所のＹ座標値）が大きくなって、当該箇所の位置が、指６００のスライド操作が終了した位置と一致する。ここで、上述のように、ユーザが、線状物５４１に対して指６００を接触させると、線状物５４１における指６００が接触した箇所に、スライダ５４２の中心５４２ａが位置するようになる。したがって、図２１，２２に示されるように、指６００のスライド操作に応じて、スライダ５４２の位置も変化する。
【０１１２】
また、ユーザが、線状物５４１のある箇所に対して指６００を接触させた状態で、指６００をＹ軸５８２のマイナス方向に沿ってスライド操作させたとする。この場合、線状物５４１における指６００が接触した箇所のＹ軸方向の高さ（当該箇所のＹ座標値）が小さくなって、当該箇所の位置が、指６００のスライド操作が終了した位置と一致する。
【０１１３】
このように、線状物５４１に対するＹ軸５８２に沿ったユーザの操作に応じて、線状物５４１における、当該操作が行われた箇所のＹ軸５８２に沿った高さが、当該操作に応じて変化する。本例では、Ｙ軸５８２はフレーム画像のお気に入り度を示すことから、ユーザは、指等の操作子によって、線状物５４１に対してＹ軸５８２に沿った操作を行うことによって、電子機器１に対して、線状物５４１における当該操作を行った箇所に対応するフレーム画像のお気に入り度を入力することができる。例えば、ユーザは、線状物５４１のある箇所に対して指６００を接触させたときに部分画面７０３に示されるフレーム画像を参照しながら指６００をスライド操作させて、当該ある箇所のＹ軸方向の高さを電子機器１に変化させる。これにより、当該ある箇所に対応するフレーム画像、つまり、部分画面７０３に示されるフレーム画像のお気に入り度が調整される。
【０１１４】
なお、例えば、入力画面７００の部分画面７０４における、シークバー５４０以外の部分に対してロングタップ操作が行われると、入力モードが解除されて、再生画面５００が表示部１２０に表示される。入力モードが解除される条件はこの限りではない。
【０１１５】
また、再生付帯情報が、フレーム画像のお気に入り度以外であっても、ユーザは線状物５４１に対して同様に操作を行うことによって、電子機器１に対して再生付帯情報を入力することができる。
【０１１６】
＜第２変形例＞
図２３は本変形例に係る再生画面５００の一例を示す図である。本変形例では、シークバー５４０の線状物５４１が色分けされることによって、線状物５４１のＹ軸方向位置が示す再生付帯情報とは別の情報が示される。以後、当該別の情報を「第２再生付帯情報」と呼び。また、線状物５４１のＹ軸方向位置が示す再生付帯情報を「第１再生付帯情報」と呼ぶ。
【０１１７】
本例では、線状物５４１は、動画５３０の再生箇所に応じた第２再生付帯情報に応じて色分けされている。そして、動画５３０の再生箇所に応じた第２再生付帯情報は、線状物５４１における、Ｘ軸方向位置が当該再生箇所を示すスライダ５４２が位置する部分の色によって示される。動画５３０の再生箇所に応じた第２再生付帯情報は、当該再生箇所が再生済みか否かを示す情報以外である。以下にこの点について具体的に説明する。
【０１１８】
第１再生付帯情報は、例えば、フレーム画像の撮影場所標高である。また第２再生付帯情報は、例えば、再生箇所に関する所定種類の値が所定範囲内にあるという情報である。
【０１１９】
本例では、第２再生付帯情報として、例えば２種類の情報が使用される。一つ目の情報である第１情報は、例えば、再生箇所に関する所定種類の値が第１所定値以上であるという情報である。二つ目の情報である第２情報は、例えば、再生箇所に関する所定種類の値が第２所定値以下であるという情報である。本例では、所定種類の値として、フレーム画像の撮影時の速さが採用される。したがって、本例では、第１情報は、フレーム画像の撮影時の速さが第１所定値以上であるという情報である。また、第２情報は、フレーム画像の撮影時の速さが第２所定値以下であるという情報である。第１所定値は、例えば第２所定値よりも大きな値に設定される。なお、第１所定値は、第２所定値と同じであっても良い。
【０１２０】
シークバー５４０の線状物５４１は、３種類の色に色分けされている。例えば、線状物５４１は、青色部分７５０と、赤色部分７５１と、緑色部分７５２とを備えている。線状物５４１では、赤色部分７５１及び緑色部分７５２以外がすべて青色部分７５０となっている。赤色部分７５１は第１情報に対応している。緑色部分７５２は第２情報に対応している。青色部分７５０は第２再生付帯情報に対応していない。赤色部分７５１及び緑色部分７５２は青色部分７５０よりも太くなっている。図２３では、便宜上、赤色を右上がりの斜線で表し、緑色を右下がりの斜線で表している。なお、赤色部分７５１及び緑色部分７５２は青色部分７５０と同じ太さであっても良い。
【０１２１】
線状物５４１の赤色部分７５１は、当該赤色部分７５１に対応する再生箇所のフレーム画像の撮影時の速さが第１所定値以上であることを意味する。つまり、中心５４２ａの位置が赤色部分７５１上に位置するスライダ５４２のＸ軸方向位置が示す再生箇所のフレーム画像の撮影時の速さは第１所定値以上である。
【０１２２】
線状物５４１の緑色部分７５２は、当該緑色部分７５２に対応する再生箇所のフレーム画像の撮影時の速さが第２所定値以下であることを意味する。つまり、中心５４２ａの位置が緑色部分７５２上に位置するスライダ５４２のＸ軸方向位置が示す再生箇所のフレーム画像の撮影時の速さは第２所定値以下である。
【０１２３】
このように、本変形例では、動画５３０の再生箇所に応じた第２再生付帯情報は、線状物５４１における、Ｘ軸方向位置が当該再生箇所を示すスライダ５４２が位置する部分の色によって示される。したがって、ユーザは、第２再生付帯情報に基づいて、動画５３０での所望の箇所を容易に見つけることができる。
【０１２４】
なお、線状物５４１を色分けする際に使用する色の種類は上記の例に限られない。また本例においても、第１再生付帯情報は、フレーム画像の撮影場所標高以外の情報であっても良い。例えば、第１再生付帯情報は、フレーム画像の撮影時の温度であっても良い。また、第２再生付帯情報は、上記の例に限られない。以下に第２再生付帯情報の変形例について説明する。
【０１２５】
第２再生付帯情報として、第２情報を採用しなくても良い。この場合には、緑色部分７５２が青色部分７５０となる。また、第２再生付帯情報として、第１情報を採用しなくても良い。この場合には、赤色部分７５１が青色部分７５０となる。
【０１２６】
第１情報は、再生箇所に関する所定種類の値が第１所定値よりも大きいという情報であっても良い。また第２情報は、再生箇所に関する所定種類の値が第２所定値未満であるという情報であっても良い。
【０１２７】
第２再生付帯情報として、再生箇所に関する所定種類の値が、第３所定値以上第４所定値以下であるという第３情報が採用されても良い。第４所定値は第３所定値よりも大きな値に設定される。第２再生付帯情報として第３情報が採用される場合には、第１及び第２情報のうちの第１情報だけが第２再生付帯情報として採用されても良い。この場合には、第４所定値は第１所定値以下に設定される。また第２再生付帯情報として第３情報が採用される場合には、第１及び第２情報のうちの第２情報だけが第２再生付帯情報として採用されても良い。この場合には、第３所定値は第２所定値以上に設定される。また第２再生付帯情報として第３情報が採用される場合には、第１及び第２情報が第２再生付帯情報として採用されても良い。この場合には、第１所定値は第２所定値よりも大きく設定され、第３所定値は第２所定値以上に設定され、第４所定値は第１所定値以下に設定される。また、第３情報は、再生箇所に関する所定種類の値が、第３所定値よりも大きく第４所定値以下であるという情報であっても良い。また第３情報は、再生箇所に関する所定種類の値が、第３所定値以上であって第４所定値よりも小さいという情報であっても良い。また第３情報は、再生箇所に関する所定種類の値が、第３所定値よりも大きく第４所定値よりも小さいという情報であっても良い。
【０１２８】
第２再生付帯情報についての所定種類の値は、フレーム画像の撮影時の速さ以外の値であっても良い。例えば、所定種類の値は、フレーム画像の撮影時の温度であっても良いし、フレーム画像の撮影場所標高であっても良いし、フレーム画像撮影場所気圧であっても良い。第１〜４所定値は、所定種類の値の種類によって適宜決定される。
【０１２９】
第２再生付帯情報は、フレーム画像の撮影時にイベントが発生しているという情報で有っても良い。図２４はこの場合の再生画面５００の一例を示す図である。図２４の例では、線状物５４１は、青色部分７５０及び赤色部分７５１を備えている。線状物５４１では、赤色部分７５１以外がすべて青色部分７５０となっている。赤色部分７５１は第２再生付帯情報に対応している。青色部分７５０は第２再生付帯情報に対応していない。
【０１３０】
赤色部分７５１は、当該赤色部分７５１に対応する再生箇所のフレーム画像の撮影時に所定のイベントが発生していることを意味している。つまり、中心５４２ａの位置が赤色部分７５１上に位置するスライダ５４２のＸ軸方向位置が示す再生箇所のフレーム画像の撮影時には所定のイベントが発生している。所定のイベントとしては、上記のように、例えば、電子機器１のユーザのトラブルが考えられる。また、所定のイベントとしては、電子機器１が水中に入るというイベントが考えらえる。なお、所定のイベントはこの限りではない。
【０１３１】
また、第１再生付帯情報の種類がユーザによって変更可能なように、第２再生付帯情報の種類がユーザによって変更可能であっても良い。この場合には、例えば、上述の図１８に示されるような切替ボタン６５０と同様の切替ボタン、つまり、第２再生付帯情報の種類を切り替えるための切替ボタンを再生画面５００に設けても良い。また、図１９に示されるような選択画面６７０と同様の選択画面、つまり、第２再生付帯情報の種類をユーザが選択するための選択画面を表示部１２０が表示しても良い。
【０１３２】
＜第３変形例＞
図２５は本変形例に係る再生画面５００の一例を示す図である。本変形例に係るシークバー５４０では、線状物５４１が、電子機器１が動画５３０を撮影している間に移動する経路に応じた曲線状を成している。以後、電子機器１が動画５３０を撮影している間に移動する経路を単に「移動経路」と呼ぶ。そして、本変形例では、線状物５４１上でのスライダ５４２の位置が示す再生箇所に応じた再生付帯情報が、電子機器１が当該再生箇所のフレーム画像を撮影する際の当該電子機器１の移動経路上の位置を示している。線状物５４１上でのスライダ５４２の位置は、再生箇所を示すとともに、電子機器１が当該再生箇所のフレーム画像を撮影する際の当該電子機器１の移動経路上の位置を示す。詳細には、線状物５４１上でのスライダ５４２の中心５４２ａの位置は、再生箇所を示すとともに、電子機器１が当該再生箇所のフレーム画像を撮影する際の当該電子機器１の移動経路上の位置を示す。表示部１２０では、線状物５４１上でのスライダ５４２の中心５４２ａの位置によって特定される移動経路上の位置で撮影されたフレーム画像が再生される。
【０１３３】
線状物５４１の一端５４２ｅは、移動経路の始点に対応している。したがって、スライダ５４２の中心５４２ａが一端５４２ｅに位置する場合には、動画５３０の再生箇所は最初のフレーム画像となる。つまり、スライダ５４２の中心５４２ａが一端５４２ｅに位置する場合には、移動経路の始点で撮影されたフレーム画像が再生される。また線状物５４１の他端５４２ｆは、移動経路の終点に対応する。したがって、スライダ５４２の中心５４２ａが他端５４２ｆに位置する場合には、動画５３０の再生箇所は最後のフレーム画像となる。つまり、スライダ５４２の中心５４２ａが他端５４２ｆに位置する場合には、移動経路の終点で撮影されたフレーム画像が再生される。線状物５４１の長さは、動画５３０の撮影を開始してから終了するまでに電子機器１が移動した総移動距離を示していると言える。また、スライダ５４２の移動方向は、電子機器１の移動方向、言い換えればユーザの進行方向を示していると言える。
【０１３４】
本変形例に係る表示部１２０は、表示モードとして、第１及び第２表示モードを有している。表示部１２０は、ユーザの指示に応じて、表示モードを切り替える。第１表示モードでは、線状物５４１が地図上での移動経路と一致するように、当該地図上にシークバー５４０が表示される。一方で、第２表示モードでは、地図が表示されずにシークバー５４０が表示されるとともに、動画５３０が第１表示モードよりも大きく表示される。図２５に示される再生画面５００は、第２表示モードの表示部１２０が表示する画面である。第２表示モードでの再生画面５００を「再生画面５００Ａ」と呼ぶことがある。
【０１３５】
再生画面５００Ａの部分画面５０４には、表示部１２０の表示モードを、第２表示モードから第１表示モードに切り替えるための切替ボタン５４５が示されている。ユーザが切替ボタン５４５に対して所定の操作（例えばタップ操作）を行うと、表示部１２０の表示モードは、第２表示モードから第１表示モードに変化する。図２６は、第１表示モードの表示部１２０が表示する再生画面５００の一例を示す図である。当該再生画面５００を「再生画面５００Ｂ」と呼ぶことがある。
【０１３６】
再生画面５００Ｂは、部分画面５０６〜５０９を含んでいる。部分画面５０６，５０９は、再生画面５００Ａの部分画面５０１，５０５と同じである。
【０１３７】
部分画面５０７には、表示部１２０の表示モードを、第１示モードから第２表示モードに切り替えるための切替ボタン５７０が示されている。ユーザが切替ボタン５７０に対して所定の操作（例えばタップ操作）を行うと、表示部１２０の表示モードは、第１表示モードから第２表示モードに変化する。
【０１３８】
部分画面５０７には、さらに、再生中の動画５３０が示される。図２５，２６に示されるように、第２表示モードでの再生画面５００Ａでは、第１表示モードの再生画面５００Ｂよりも、再生中の動画５３０が大きく表示される。
【０１３９】
部分画面５０８には、移動経路を含む地図５８０が示される。そして、部分画面５０８では、線状物５４１が地図５８０上での移動経路と一致するように、当該地図５８０上にシークバー５４０が示される。これにより、ユーザは、動画５３０の撮影時に電子機器１が地図５８０上をどのように移動したかを認識することができる。言い換えれば、ユーザは、動画５３０の撮影時に自分が地図５８０上をどのように移動したかを認識することができる。
【０１４０】
なお、図２６は動画の再生中の再生画面５００Ｂを示している。動画の再生が停止している再生画面５００Ｂでは、上述の図１０に示されるように、一時停止ボタン５５０の代わりに再生ボタン５５５が示され、部分画面５０７には、再生が停止した箇所のフレーム画像が示される。
【０１４１】
また、第１及び第２表示モードのうちの第１表示モードだけを設けても良い。つまり、図２５に示される再生画面５００Ａは表示されなくても良い。この場合には、表示部１２０は、図２６の例とは異なり、地図５８０よりも動画５３０（あるいは再生が停止した箇所のフレーム画像）を大きく表示しても良い。
【０１４２】
また、スライダ５４２が、当該スライダ５４２の位置が示す再生箇所のフレーム画像を電子機器１が撮影する際のカメラレンズの向きを示しても良い。図２７はこの場合の再生画面５００Ｂの一例を示す図である。図２７に示される再生画面５００Ｂでは、スライダ５４２の外形が矢印となっている。そして、スライダ５４２の外形が成す矢印が指す方向が、当該スライダ５４２の位置が示す再生箇所のフレーム画像を電子機器１が撮影する際のカメラレンズの向きを示している。図２７の例では、地図の真上が北方向となっていることから、カメラレンズの向きは北向きとなっている。つまり、ユーザは使用カメラのレンズを北側に向けて撮影している。なお、上述の図５のように、使用カメラのレンズがユーザの進行方向を向く場合には、スライダ５４２の外形が成す矢印は、常にスライダ５４２の移動方向を示す。また、再生画面５００Ａにおいても、スライダ５４２の外形は矢印となり、当該矢印によってカメラレンズの向きが示される。
【０１４３】
また、図２８に示されるように、本変形例においても、上記の第２変形例と同様に、線状物５４１が色分けされても良い。図２８の例では、線状物５４１は、第２再生付帯情報に対応しない青色部分７５０と、第２再生付帯情報に対応する赤色部分７５１とを含む。再生画面５００Ａでも同様に線状物５４１が色分けされる。
【０１４４】
＜第４変形例＞
使用カメラが動画を撮影する際に、表示部１２０は、シークバー５４０と似たような形状の表示物を表示しても良い。図２９は、本変形例に係る電子機器１において、動画撮影時に表示される撮影画面８００の一例を示す図である。撮影画面８００は上述の図７に示される画面とは異なっている。
【０１４５】
撮影画面８００は部分画面８０１〜８０５を含む。部分画面８０１〜８０５は、この順で撮影画面８００の上側から並ぶ。部分画面８０１には、動画の撮影中を示す文字列８１０が示される。部分画面８０２には、動画の現在の撮影日時８２０と、動画の撮影経過時間８２１が示される。部分画面８０３には、撮影中の動画８３０が示される。部分画面８０３には、使用カメラで撮影されるフレーム画像が順次示される。部分画面８０５には、動画８３０の撮影を終了するための撮影終了ボタン８５０が示される。ユーザが撮影終了ボタン８５０に対して所定の操作（例えばタップ操作）を行うと、動画８３０の撮影が終了する。撮影終了ボタン８５０に対する所定の操作が、上述のステップｓ７での終了指示操作である。部分画面８０４には、動画８３０の撮影の進行具合を示す撮影インジケータ８４０が示される。
【０１４６】
＜撮影インジケータの詳細＞
撮影インジケータ８４０は、動画８３０の撮影の進行に応じて長さが延びる線状物８４１を含む。線状物８４１の先端８４１ａにはマーク８４２が示されている。このマーク８４２は、線状物８４１の先端８４１ａの位置を示している。マーク８４２の中心８４２ａの位置は、線状物８４１の先端８４１ａの位置と一致している。線状物８４１は、撮影中の動画８３０の撮影済み部分に含まれるフレーム画像に応じた所定の情報に応じて曲線状となっている。この所定の情報を、上記の撮影付帯情報と区別するために「第２撮影付帯情報」と呼ぶ。線状物８４１の先端８４１ａの位置は、動画８３０の撮影の進行具合と、現在の撮影フレーム画像に応じた第２撮影付帯情報とを示す。言い換えれば、マーク８４２の位置は、動画８３０の撮影の進行具合と、現在の撮影フレーム画像に応じた第２撮影付帯情報とを示す。さらに言い換えれば、線状物８４１の先端８４１ａの位置は、動画８３０の撮影の進行具合と、部分画面８０３に現在示されるフレーム画像に応じた第２撮影付帯情報とを示す。
【０１４７】
図３０は撮影インジケータ８４０を説明するための図である。図３０に示されるように、線状物８４１は、第１の軸８５１が動画８３０の撮影経過時間を示し、当該第１の軸８５１に垂直な第２の軸８５２が第２撮影付帯情報を示す二次元上のグラフで表される。このグラフは撮影経過時間に応じて随時更新される。以後、説明の便宜上、第１の軸８５１を「Ｘ軸８５１」と呼び、第２の軸８５２を「Ｙ軸８５２」と呼ぶ。また本変形例では、Ｘ軸８５１に沿った方向を「Ｘ軸方向」と呼び、Ｙ軸８５２に沿った方向を「Ｙ軸方向」と呼ぶ。
【０１４８】
線状物８４１の先端８４１ａのＸ座標値Ｘ２は撮影経過時間を示す。そのため、線状物８４１の先端８４１ａのＸ軸方向の位置は、動画８３０の撮影の進行具合を示すと言える。撮影経過時間が長くなるにつれて、線状物８４１の先端８４１ａのＸ座標値Ｘ２は大きくなる。言い換えれば、撮影経過時間が長くなるにつれて、線状物８４１のＸ軸方向の長さが大きくなる。線状物８４１における、先端８４１ａとは逆の固定端８４１ｂのＸ座標値は零を示す。
【０１４９】
一方で、線状物８４１の先端８４１ａのＹ軸方向の位置は、現在の撮影フレーム画像に応じた第２撮影付帯情報を示す。つまり、線状物８４１の先端８４１ａのＹ座標値Ｙ２は、現在の撮影フレーム画像に応じた第２撮影付帯情報を示す。線状物８４１のある箇所のＹ座標値は、当該ある箇所のＸ座標値が示す時間だけ動画８３０の撮影が経過したときに撮影されたフレーム画像に応じた第２撮影付帯情報を示す。線状物８４１の固定端（始点）８４１ｂのＹ座標値は、最初に撮影されたフレーム画像に応じた第２撮影付帯情報を示す。
【０１５０】
第２撮影付帯情報としては、例えば、上述の再生付帯情報と同様の情報を採用することができる。第２撮影付帯情報は、例えば、動画８３０のフレーム画像が撮影される際の当該フレーム画像の撮影場所の標高（フレーム画像の撮影場所標高）が採用される。言い換えれば、第２撮影付帯情報は、フレーム画像が撮影される際に標高取得部３８０で取得される標高が採用される。
【０１５１】
第２撮影付帯情報として、フレーム画像の撮影場所標高が採用される場合には、Ｙ軸８５２はフレーム画像の撮影場所標高を示す。そして、線状物８４１の先端８４１ａのＹ軸方向の位置は、現在の撮影フレーム画像の撮影場所標高を示す。つまり、線状物８４１の先端８４１ａのＹ座標値Ｙ２は、現在の撮影フレーム画像の撮影場所標高を示す。本変形例では、Ｙ軸８５２のプラス方向に向かうほど、Ｙ軸８５２が示す撮影場所標高は大きくなっている。なお、図３０に示されるＸ軸８５１及びＹ軸８５２は、撮影画面８００には示されない。
【０１５２】
このように、撮影インジケータ８４０では、線状物８４１の先端８４１ａの位置が、動画の撮影の進行具合と、現在の撮影フレーム画像に応じた第２撮影付帯情報とを示す。このため、ユーザは、動画の撮影の進行具合と、現在の撮影フレーム画像に応じた第２撮影付帯情報とを容易に知ることができる。
【０１５３】
第２撮影付帯情報は、フレーム画像の撮影場所標高以外の情報であっても良い。第２撮影付帯情報は、例えば、フレーム画像の撮影場所気圧であっても良い。この場合には、線状物８４１の先端８４１ａの位置は、動画の撮影の進行具合と、現在の撮影フレーム画像の撮影場所気圧を示す。また第２撮影付帯情報は、フレーム画像が撮影される際の電子機器１の速さであっても良いし、フレーム画像が撮影される際の電子機器１の温度であっても良いし、フレーム画像の撮影時の移動距離であっても良い。
【０１５４】
また第２撮影付帯情報は、フレーム画像の撮影時に所定のイベントが発生しているか否かという情報であっても良い。図３１はこの場合の撮影画面８００の一例を示す図である。第２撮影付帯情報が、フレーム画像の撮影時に所定のイベントが発生しているか否かという情報である場合、線状物８４１の先端８４１ａのＹ軸方向の位置は、現在の撮影フレームの撮影時に所定のイベントが発生しているか否かを示す。つまり、線状物８４１の先端８４１ａのＹ軸方向の位置は、現在、所定のイベントが発生しているか否かを示す。Ｙ軸５８２のＹ座標値は、フレーム画像の撮影時に所定のイベントが発生している場合には１を示し、フレーム画像の撮影時に所定のイベントが発生している場合には０を示す。したがって、線状物８４１の先端８４１ａのＹ座標値Ｙ２は、現在所定のイベントが発生している場合には１を示し、現在所定のイベントが発生していない場合には０を示す。所定のイベントとしては、上記のように、例えば、電子機器１のユーザのトラブルが考えられる。また所定のイベントとしては、電子機器１が水中に入るというイベントであっても良い。
【０１５５】
また、上述した、スライダ５４２のＹ軸方向位置が示す再生付帯情報の種類の切り替えと同様に、制御部１００は、線状物８４１の先端８４１ａのＹ軸方向の位置が示す第２撮影付帯情報の種類をユーザの指示に応じて切り替えても良い。この場合には、例えば、上述の図１７に示される切替ボタン６５０と同様の切替ボタン、つまり線状物８４１の先端８４１ａのＹ軸方向の位置が示す第２撮影付帯情報の種類を切り替えるための切替ボタンが、撮影画面８００の例えば部分画面８０４に示される。ユーザが、当該切替ボタンに対して所定の操作（例えばタップ操作）を行うと、制御部１００は、線状物８４１の先端８４１ａのＹ軸方向の位置が示す第２撮影付帯情報の種類を切り替える。
【０１５６】
また、上述の図１８に示される特定情報６６０と同様の特定情報、つまり、線状物８４１の先端８４１ａのＹ軸方向の位置が示す第２撮影付帯情報の種類を特定するための特定情報を撮影画面８００に含めても良い。
【０１５７】
また、制御部１００は、上述の図１９に示される選択画面６７０と同様の選択画面、つまり、線状物８４１の先端８４１ａのＹ軸方向の位置が示す第２撮影付帯情報の種類をユーザが選択するための選択画面を、表示部１２０に表示させても良い。
【０１５８】
また、表示部１２０は、上記の図２０に示される再生付帯情報の値６８０と同様の値、つまり、線状物８４１の先端８４１ａのＹ軸方向の位置が示す第２撮影付帯情報の値を、当該先端８４１ａの近傍に表示しても良い。
【０１５９】
＜第５変形例＞
上記の第４変形例に係る電子機器１では、上記の第２変形例と同様に、線状物８４１が色分けされることによって、線状物８４１の先端８４１ａのＹ軸方向の位置が示す第２撮影付帯情報とは別の情報が示されても良い。以後、当該別の情報を「第３撮影付帯情報」と呼ぶ。図３２はこの場合の撮影画面８００の一例を示す図である。
【０１６０】
図３２に示される線状物８４１は、動画８３０の撮影中に撮影される撮影フレーム画像に応じた第３撮影付帯情報に応じて色分けされている。図３２の例では、線状物８４１は、青色部分９００及び赤色部分９０１を含む。赤色部分９０１は第３撮影付帯情報に対応し、青色部分９００は第３撮影付帯情報に対応していない。撮影フレーム画像に応じた第３撮影付帯情報は、線状物８４１における、当該撮影フレーム画像に対応する部分の色によって示される。つまり、動画８３０の撮影の開始からある時間だけ経過したとき撮影された撮影フレーム画像に応じた第３撮影付帯情報は、線状物８４１における、Ｘ座標値が当該ある時間を示す部分の色によって示される。
【０１６１】
第３撮影付帯情報として、例えば、上記の第２再生付帯情報と同様の情報を採用することができる。第３撮影付帯情報として、例えば、フレーム画像の撮影時の速さが第１所定値以上であるという情報を採用することができる。この場合、赤色部分９０１は、当該赤色部分９０１に対応する撮影フレーム画像の撮影時の速さが第１所定値以上であることを意味する。現在の撮影フレーム画像の撮影時の速さが第１所定値以上である場合には、線状物８４１の先端８４１ａは赤色部分９０１となる。つまり、現在の電子機器１の速さが第１所定値以上である場合には、線状物８４１の先端８４１ａは赤色部分９０１となる。動画８３０のあるフレーム画像が、動画８３０の撮影の開始からある時間だけ経過したとき撮影された場合、線状物８４１における、Ｘ座標値が当該ある時間を示す部分の色が赤色のときには、当該あるフレーム画像の撮影時の速さが第１所定値以上である。
【０１６２】
このように、本変形例では、撮影フレーム画像に応じた第３撮影付帯情報は、線状物８４１における、当該撮影フレーム画像に対応する部分の色によって示される。これにより、ユーザは、撮影インジケータ８４０を参照することによって、動画８３０の撮影の進行具合と、第２撮影付帯情報と、第３撮影付帯情報とを簡単に知ることができる。
【０１６３】
＜第６変形例＞
上記の第４及び第５変形例に係る電子機器１では、上記の第３変形例のように、線状物８４１は、電子機器１が動画８３０を撮影している間に移動する移動経路に応じた曲線状を成しても良い。図３３はこの場合の撮影画面８００の一例を示す図である。
【０１６４】
図３３に示される撮影インジケータ８４０では、線状物８４１が、電子機器１が動画５３０を撮影している間に移動する移動経路に応じた曲線状を成している。そして、線状物８４１の先端８４１ａは、動画８３０の撮影の進行具合を示すとともに、電子機器１の現在の位置を示している。線状物８４１の固定端８４１ｂは、動画８３０の撮影が開始されたときの電子機器１の位置を示している。線状物８４１の長さは、動画８３０の撮影を開始してから現在までに電子機器１が移動した移動距離を示していると言える。また、線状物８４１の先端８４１ａが延びていく方向は、電子機器１の移動方向、言い換えればユーザの進行方向を示していると言える。
【０１６５】
本変形例に係る表示部１２０は、表示モードとして、第３及び第４表示モードを有している。表示部１２０は、ユーザの指示に応じて、表示モードを切り替える。第３表示モードでは、線状物８４１が地図上での移動経路と一致するように、当該地図上に撮影インジケータ８４０が表示される。一方で、第４表示モードでは、地図が表示されずに撮影インジケータ８４０が表示されるとともに、動画８３０が第３表示モードよりも大きく表示される。図３３に示される撮影画面８００は、第４表示モードの表示部１２０が表示する画面である。第４表示モードでの撮影画面８００を「撮影画面８００Ａ」と呼ぶ。
【０１６６】
撮影画面８００Ａの部分画面８０４には、表示部１２０の表示モードを、第４表示モードから第３表示モードに切り替えるための切替ボタン９１０が示されている。ユーザが切替ボタン９１０に対して所定の操作（例えばタップ操作）を行うと、表示部１２０の表示モードは、第４表示モードから第３表示モードに変化する。図３４は、第３表示モードの表示部１２０が表示する撮影画面８００の一例を示す図である。当該撮影画面８００を「撮影画面８００Ｂ」と呼ぶ。
【０１６７】
撮影画面８００Ｂは、部分画面８０６〜８０９を含んでいる。部分画面８０６，８０９は、撮影画面８００Ａの部分画面８０１，８０５と同じである。
【０１６８】
部分画面８０７には、表示部１２０の表示モードを、第３示モードから第４表示モードに切り替えるための切替ボタン９２０が示されている。ユーザが切替ボタン９２０に対して所定の操作（例えばタップ操作）を行うと、表示部１２０の表示モードは、第３表示モードから第４表示モードに変化する。
【０１６９】
部分画面８０７には、さらに、撮影中の動画８３０が示される。図３３，３４に示されるように、第４表示モードでの撮影画面８００Ａでは、第３表示モードの撮影画面８００Ｂよりも、撮影中の動画８３０が大きく表示される。
【０１７０】
部分画面８０８には、移動経路を含む地図９３０が示される。そして、部分画面８０８では、線状物８４１が地図９３０上での移動経路と一致するように、当該地図９３０上に撮影インジケータ８４０が示される。これにより、ユーザは、動画８３０の撮影時に電子機器１が地図９３０上をどのように移動しているかを認識することができる。言い換えれば、ユーザは、動画８３０の撮影時に自分が地図９３０上をどのように移動しているかを認識することができる。
【０１７１】
なお、第３及び第４表示モードのうちの第３表示モードだけを設けても良い。つまり、図３３に示される撮影画面８００Ａは表示されなくても良い。この場合には、表示部１２０は、図３４の例とは異なり、地図９３０よりも動画８３０を大きく表示しても良い。
【０１７２】
また、線状物８４１の先端８４１ａを示すマーク８４２が、現在のカメラレンズの向きを示しても良い。図３５はこの場合の撮影画面８００Ｂの一例を示す図である。図３５に示される撮影画面８００Ｂでは、マーク８４２の外形が矢印となっている。そして、マーク８４２の外形が成す矢印が指す方向が、現在のカメラレンズの向きを示している。図３５の例では、地図の真上が北方向となっていることから、カメラレンズの向きは北向きとなっている。つまり、ユーザは使用カメラのレンズを北側に向けて現在撮影している。なお、撮影画面８００Ａにおいても、マーク８４２の外形は矢印となり、当該矢印によって現在のカメラレンズの向きが示される。
【０１７３】
また、図３６に示されるように、上記の第５変形例と同様に、線状物８４１が色分けされても良い。図３６の例では、線状物８４１は、第３撮影付帯情報に対応しない青色部分９００と、第３撮影付帯情報に対応する赤色部分９０１とを含む。撮影画面８００Ａでも同様に線状物８４１が色分けされる。
【０１７４】
＜その他の変形例＞
上記の第２及び第５変形例などでは、線状物５４１及び線状物８４１のそれぞれは、互いに線の色が異なる複数種類の線によって示されたが、互いに線の太さが異なる複数種類の線によって示されても良い。
【０１７５】
図３７は、上述の図２３の例において、線状物５４１が互いに線の太さが異なる複数種類の線によって示される様子を示す図である。図３７の例では、線状物５４１は、線の太さが異なる４種類の線で示されている。線状物５４１において、線の太さが最も細い第１部分７６０は、動画５３０の未再生部分に対応している。線状物５４１において、線の太さが２番目に細い第２部分７６１は、動画５３０の再生済み部分に対応している。線状物５４１において、線の太さが最も太い第３部分７６２は、再生箇所に関する所定種類の値が第１所定値以上であるという第１情報に対応するとともに、動画５３０の再生済み部分に対応している。線状物５４１において、線の太さが２番目に太い第４部分７６３は、再生箇所に関する所定種類の値が第２所定値以下であるという第２情報に対応するとともに、動画５３０の未再生部分に対応している。
【０１７６】
また、線状物５４１及び線状物８４１のそれぞれは、不連続な線を含む複数種類の線によって示されても良い。図３８は、上述の図２３の例において、線状物５４１が、不連続な線を含む複数種類の線によって示される様子を示す図である。図３８の例では、線状物５４１において、細い実線（細い連続な線）で示される第１部分７７０は、動画５３０の未再生部分に対応している。線状物５４１において、第１部分７７０よりも太い実線で示される第２部分７７１は、動画５３０の再生済み部分に対応している。線状物５４１において、不連続な線の一種である点線で示される第３部分７７２は、再生箇所に関する所定種類の値が第１所定値以上であるという第１情報に対応するとともに、動画５３０の再生済み部分に対応している。線状物５４１において、不連続な線の一種である一点鎖線で示される第４部分７７３は、再生箇所に関する所定種類の値が第２所定値以下であるという第２情報に対応するとともに、動画５３０の未再生部分に対応している。図３８の例では、第４部分７７３は、第１部分７７０よりも太く示されているが、第４部分７７３及び第１部分７７０の太さは、互いに同じであっても良い。
【０１７７】
このように、線状物５４１が複数種類の線によって示される場合には、再生箇所に応じた第２再生付帯情報は、線状物５４１における、位置が当該再生箇所を示すスライダ５４２が位置する部分の線の種類によって示される。また線状物８４１が、複数種類の線によって示される場合には、撮影フレーム画像に応じた第３撮影付帯情報は、線状物８４１における、当該撮影フレーム画像に対応する部分の線の種類によって示される。
【０１７８】
また上記の例では、電子機器１は自ら撮影した動画を再生していたが、電子機器１とは別の撮影装置が撮影する動画を電子機器１が再生しても良い。また、電子機器１は、自ら、第１及び第２再生付帯情報及び第１〜第３撮影付帯情報を取得していたが、電子機器１とは別の装置が第１及び第２再生付帯情報及び第１〜第３撮影付帯情報を取得しても良い。
【０１７９】
また上記の例では、電子機器１は、スマートフォン等の携帯電話機であったが、他の種類の電子機器であっても良い。電子機器１は、例えば、タブレット端末、パーソナルコンピュータ、ウェアラブル機器などであっても良い。
【０１８０】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１８１】
１  電子機器
１００  制御部
１０３ｂｂ  制御プログラム
１２０  表示部
１５０  ＧＰＳ受信機
１９０  第１カメラ
２００  第２カメラ
２４０  リアルタイムクロック
３５０  速さ取得部
３６０  温度取得部
３７０  気圧取得部
３８０  標高取得部
３９０  方角取得部
【図１】
0006584978.tif 000002
【図２】
0006584978.tif 000003
【図３】
0006584978.tif 000004
【図４】
0006584978.tif 000005
【図５】
0006584978.tif 000006
【図６】
0006584978.tif 000007
【図７】
0006584978.tif 000008
【図８】
0006584978.tif 000009
【図９】
0006584978.tif 000010
【図１０】
0006584978.tif 000011
【図１１】
0006584978.tif 000012
【図１２】
0006584978.tif 000013
【図１３】
0006584978.tif 000014
【図１４】
0006584978.tif 000015
【図１５】
0006584978.tif 000016
【図１６】
0006584978.tif 000017
【図１７】
0006584978.tif 000018
【図１８】
0006584978.tif 000019
【図１９】
0006584978.tif 000020
【図２０】
0006584978.tif 000021
【図２１】
0006584978.tif 000022
【図２２】
0006584978.tif 000023
【図２３】
0006584978.tif 000024
【図２４】
0006584978.tif 000025
【図２５】
0006584978.tif 000026
【図２６】
0006584978.tif 000027
【図２７】
0006584978.tif 000028
【図２８】
0006584978.tif 000029
【図２９】
0006584978.tif 000030
【図３０】
0006584978.tif 000031
【図３１】
0006584978.tif 000032
【図３２】
0006584978.tif 000033
【図３３】
0006584978.tif 000034
【図３４】
0006584978.tif 000035
【図３５】
0006584978.tif 000036
【図３６】
0006584978.tif 000037
【図３７】
0006584978.tif 000038
【図３８】
0006584978.tif 000039